(57)【要約】  透明基体の両面に形成される第１及び第２の配線パターンは、それぞれ、異なる第１及び第２のパターンを少なくとも有し、合成配線パターンとして表示ユニットの画素配列パターンに重畳され、画素配列パターンと合成配線パターンとの合成パターンは、その透過率画像データの２次元フーリエ空間における複数のスペクトルから、画素配列パターン、及び合成配線パターンの透過率画像データの２次元フーリエ空間における複数のスペクトルを除き、画素配列パターンと合成配線パターンとの干渉によるモアレ及びノイズのみの複数のスペクトルを抽出して、抽出された全ての複数のスペクトルの合計値を求め、この合計値から算出したモアレ及びノイズの抽出定量値が所定範囲内である。
2015030090.tif 000002
【特許請求の範囲】
【請求項１】
表示装置の表示ユニット上に設置される導電性フィルムであって、
透明基体と、
この透明基体の両面にそれぞれ形成される第１及び第２の導電部と、を有し、
前記第１及び第２の導電部は、それぞれ、複数の金属細線により複数の開口部を配列したメッシュ状に形成された第１及び第２の配線パターンを有し、
前記第１及び第２の配線パターンは、それぞれ、その透過率画像データの２次元フーリエ空間におけるスペクトルのばらつきが異なる第１及び第２のパターンを少なくとも有し、
前記第１及び第２の配線パターンは、合成配線パターンとして前記表示ユニットの画素配列パターンに重畳されており、
前記画素配列パターンと前記合成配線パターンとの合成パターンは、前記合成パターンの透過率画像データの２次元フーリエ空間における複数のスペクトルから、前記画素配列パターンの透過率画像データの２次元フーリエ空間における複数のスペクトル及び前記合成配線パターンの透過率画像データの２次元フーリエ空間における複数のスペクトルを除き、前記画素配列パターンと前記合成配線パターンの前記第１及び第２の配線パターンとの干渉によるモアレ及びノイズのみの複数のスペクトルを抽出して、抽出された全ての複数のスペクトルの合計値を求め、この合計値から算出したモアレ及びノイズの抽出定量値が所定範囲内であることを特徴とする導電性フィルム。
【請求項２】
前記モアレ及びノイズのスペクトルの合計値は、前記画素配列パターンの空間周波数より低い周波数を持つスペクトルのみを全て合計して求められたものである請求項１に記載の導電性フィルム。
【請求項３】
前記定量値を常用対数値でＥとする時、前記所定範囲は、Ｅ＜−２．１５０である請求項１又は２に記載の導電性フィルム。
【請求項４】
前記定量値を常用対数値でＥとする時、前記所定範囲は、Ｅ＜−２．２０４２５である請求項３に記載の導電性フィルム。
【請求項５】
前記第１のパターンは、その透過率画像データの２次元フーリエ空間におけるスペクトルの標準偏差が−５．０以上であり、
前記第２のパターンは、その透過率画像データの２次元フーリエ空間におけるスペクトルの標準偏差が−５．０未満である請求項１〜４のいずれか１項に記載の導電性フィルム。
【請求項６】
前記第１のパターンは、規則的パターンであり、
前記第２のパターンは、不規則パターンである請求項１〜５のいずれか１項に記載の導電性フィルム。
【請求項７】
前記開口部は、金属細線同士が交差することで形成されるものであり、
前記規則的パターンは、複数個の同一形状の前記開口部が連なるようにメッシュ状に形成された定型パターンであり、
前記不規則パターンは、平面視で、形状が互いに異なる前記開口部を複数個含むようにメッシュ状に形成されたランダムパターンである請求項６に記載の導電性フィルム。
【請求項８】
前記第１の配線パターンを有する前記第１の導電部は、前記透明基体の上面に形成され、
前記第２の配線パターンを有する前記第２の導電部は、前記透明基体の下面に形成され、
前記第１の配線パターンは、前記第１のパターンからなり、
前記第２の配線パターンは、前記第２のパターンからなり、
前記第２の配線パターンの幅は、前記第１の配線パターンの幅より大きい請求項１〜７のいずれか１項に記載の導電性フィルム。
【請求項９】
前記モアレ及びノイズの周波数は、前記合成配線パターンのピーク周波数と前記画素配列パターンのピーク周波数との差分で与えられ、前記モアレ及びノイズの強度は、前記合成配線パターンのピーク強度と前記画素配列パターンのピーク強度との積で与えられる請求項１〜８のいずれか１項に記載の導電性フィルム。
【請求項１０】
前記透過率画像データ及び前記スペクトルの強度は、前記合成パターンの透過率画像の面積で規格化されたものである請求項１〜９のいずれか１項に記載の導電性フィルム。
【請求項１１】
前記画素配列パターンは、前記ブラックマトリックスパターンである請求項１〜１０のいずれか１項に記載の導電性フィルム。
【請求項１２】
前記第２のパターンを形成する前記金属細線の線幅は、１〜５μｍである請求項１〜１１のいずれか１項に記載の導電性フィルム。
【請求項１３】
前記第２のパターンを形成する前記開口部同士の平均ピッチは、１００〜５００μｍの範囲内である請求項１〜１２のいずれか１項に記載の導電性フィルム。
【請求項１４】
前記第1のパターンを形成する前記金属細線の線幅は、１〜５μｍである請求項１〜１３のいずれか１項に記載の導電性フィルム。
【請求項１５】
前記第1のパターンを形成する前記開口部は、菱形をなす請求項１〜１４のいずれか１項に記載の導電性フィルム。
【請求項１６】
前記第１のパターンを形成する前記金属細線、及び前記第２のパターンを形成する前記金属細線は、銀からなる請求項１〜１５のいずれか１項に記載の導電性フィルム。
【請求項１７】
請求項１〜１６のいずれか１項に記載の導電性フィルムを含むことを特徴とするタッチパネル。
【請求項１８】
表示ユニットと、
この表示ユニットの上に設置される、請求項１〜１６のいずれか１項に記載の導電性フィルムとを備えることを特徴とする表示装置。
【請求項１９】
表示装置の表示ユニット上に設置される導電性フィルムの評価方法であって、
前記導電性フィルムは、透明基体と、この透明基体の両面にそれぞれ形成される、複数の金属細線により複数の開口部を配列したメッシュ状に形成された第１及び第２の配線パターンを有し、
前記第１及び第２の配線パターンは、それぞれ、その透過率画像データの２次元フーリエ空間におけるスペクトルのばらつきが異なる第１及び第２のパターンを少なくとも有するものであり、
前記第１及び第２の配線パターンのそれぞれの透過率画像データと、前記第１及び第２の配線パターンが合成配線パターンとして重畳される、前記表示ユニットの画素配列パターンの透過率画像データとを取得し、
取得された前記画素配列パターン、並びに前記第１及び第２の配線パターンのそれぞれの透過率画像データから、前記画素配列パターンと前記合成配線パターンとの合成パターンの透過率画像データを求め、
求められた前記合成パターン、前記画素配列パターン、及び前記合成配線パターンのそれぞれの透過率画像データの２次元フーリエ変換を行い、前記合成パターンの透過率画像データの２次元フーリエ空間における複数のスペクトル、前記画素配列パターンの透過率画像データの２次元フーリエ空間における複数のスペクトル、及び前記合成配線パターンの透過率画像データの２次元フーリエ空間における複数のスペクトルを求め、
前記合成パターンの複数のスペクトルから、前記画素配列パターンの複数のスペクトル、及び前記合成配線パターンの複数のスペクトルを除いて、前記画素配列パターンと前記合成配線パターンの前記第１及び第２の配線パターンとの干渉によるモアレ及びノイズのみの複数のスペクトルの合計値を求め、
こうして得られた合計値からモアレ及びノイズの抽出定量値を算出し、
こうして算出された前記モアレ及びノイズの抽出定量値が所定範囲内である導電性フィルムを評価することを特徴とする導電性フィルムの評価方法。
【請求項２０】
表示装置の表示ユニット上に設置される導電性フィルムであって、
透明基体と、
この透明基体の両面にそれぞれ形成される第１及び第２の導電部と、を有し、
前記第１及び第２の導電部は、それぞれ、複数の金属細線により複数の開口部を配列したメッシュ状に形成された第１及び第２の配線パターンを有し、
前記第１及び第２の配線パターンは、それぞれ、その透過率画像データの２次元フーリエ空間におけるスペクトルのばらつきが異なる第１及び第２のパターンを少なくとも有し、
前記第１及び第２の配線パターンは、合成配線パターンとして前記表示ユニットの画素配列パターンに重畳されており、
前記第１のパターンは、その透過率画像データの２次元フーリエ空間におけるスペクトルの標準偏差が−５．０以上であり、
前記第２のパターンは、その透過率画像データの２次元フーリエ空間におけるスペクトルの標準偏差が−５．０未満であることを特徴とする導電性フィルム。
【発明の詳細な説明】
【技術分野】
【０００１】
本発明は、導電性フィルム、それを備えるタッチパネル及び表示装置、並びに導電性フィルムの評価方法に関し、詳しくは、複数の金属細線により複数の開口部（セル）を配列したメッシュ状に形成されたメッシュ状配線パターン（以下、メッシュパターンともいう）の設計において、モアレ及びノイズの視認性に優れたメッシュパターンの配線を持つ導電性フィルム、それを備えるタッチパネル及び表示装置、並びに導電性フィルムの評価方法に関する。
【背景技術】
【０００２】
表示装置（以下、ディスプレイともいう）の表示ユニット上に設置される導電性フィルムとして、例えば電磁波シールド用の導電性フィルムやタッチパネル用の導電性フィルム等が挙げられる（例えば、特許文献１、２及び３参照）。
タッチパネルでは、その表面が物体（例えば、指）から押圧された際に、導電性フィルム（センサ）によってその押圧位置を検出する。この導電性フィルム（センサ）には、互いに直交する方向に延在する第１の導電部（電極）及び第２の導電部（電極）が含まれる。
これらの第１の導電部と第２の導電部の間には、通常絶縁性の透明基体が介在している。
これらの第１の導電部及び第２の導電部は、金属細線（線材）を交差させることで形成されたメッシュからなる。交差した金属細線によって囲繞される開口部（空間）は、セルとも呼称され、このセルは、一般的には、多角形状や不定形状を成す。【０００３】
ここで、セルが四角形等の所定の同一形状をなす場合、メッシュは、通常、複数個の同一形状のセルが繰り返して連なる規則的な配線パターン、即ち、定型パターンとなる。このような規則的な配線パターンでは、例えばディスプレイの画素配列パターン（例えば、ブラックマトリックス（以下、ＢＭともいう）パターン）と干渉してモアレ（干渉縞）が発生しやすいことが知られている。
一方、セルの形状が、不定形状を成す場合や、種々の形状からなる場合には、セル形状に規則性（統一性）がなく、メッシュは、通常、同一形状のセルを繰り返すことができないので、不規則な配線パターン、即ち、ランダムパターンとなる。このようなランダムパターンでは、ノイズ粒状感（ざらつき感）が視認され易くなり、また、定型パターンに比して透過率が小さいことが知られている。【０００４】
ところで、本出願人の出願に係る特許文献１では、例えばディスプレイのＢＭパターン等の画素配列パターン、及び、例えば電磁波シールドパターン等の配線パターンのそれぞれのパターンデータの２次元フーリエスペクトル（２ＤＦＦＴＳｐ）のスペクトルピーク間の相対距離（例えばモアレの周波数に相当するともいうことができる）が、所定の空間周波数、例えば８ｃｍ−１を超えている配線パターンデータによって生成される配線パターンを自動的に選定することを開示している。
なお、特許文献１では、上述の相対距離が所定の空間周波数を超えていない場合には、配線パターンデータの回転角度、ピッチ、パターン幅のいずれか１つ以上を変化させて、新たな配線パターンデータを生成することを、上述の相対距離が所定の空間周波数を超えるまで繰り返すことも開示している。
こうして、特許文献１では、画素配列パターン及び配線パターン、例えば、所定画素が規則的に繰り返されるＢＭパターン及び規則的な配線パターン（その図２及び図６参照）のスペクトルピーク間の相対距離（モアレの周波数）を所定の空間周波数より高周波にすることにより、モアレの発生を抑止でき、表面抵抗率の増大や透明性の劣化をも回避することができる電磁波シールドパターンを自動的に選定できるようにしている。【０００５】
一方、本出願人の出願に係る特許文献２では、多角形状のメッシュを複数備えるメッシュパターン（例えば、ランダムパターン：図２および図１４参照）を有する透明導電膜として、各メッシュの重心スペクトルに関して、所定の空間周波数、例えば人間の視覚応答特性が最大応答の５％に相当する空間周波数よりも高い空間周波数帯域側における平均強度が、所定の空間周波数よりも低い空間周波数帯域側における平均強度よりも大きくなるように、メッシュパターンが形成されている透明導電膜を開示している。
こうして、特許文献２では、ランダムパターンに起因するノイズ粒状感を低減可能であり、観察対象物の視認性を大幅に向上できるとともに、断裁後にも安定した通電性能を有する透明導電膜を提供できるとしている。
特許文献３では、規則的なメッシュパターン（図２、図１１、および図２５等参照）や、ランダムな形状のセルを含むランダムパターン（図２３参照）等の導電性微小パターン要素の幅を１〜１０μｍに低減することによって、導電性微小パターン要素をより見え難くすると共に、導電性微小パターン要素の可視性を不明瞭化又は低減する構造を設けることによって導電性微小パターン要素を見え難くしている。特許文献３では、このような構造の１つとして導電性微小パターンにおける擬似ランダムな変動も開示している。
【先行技術文献】
【特許文献】
【０００６】
【特許文献１】特開２００９−１１７６８３号公報
【特許文献２】特開２０１１−２１６３７９号公報
【特許文献３】特表２０１１−５１７３５５号公報
【発明の概要】
【発明が解決しようとする課題】
【０００７】
ところで、特許文献１では、導電性フィルムの配線パターンを生成するに当たって、ディスプレイのＢＭ（ブラックマトリックス）／配線パターンの周波数情報のみからモアレ周波数を制御し、視認性に優れた配線パターンを提供しているが、モアレが視認される／されないの判定を周波数のみに依存しているため、モアレが視認されないと判定される周波数の場合であっても、人のモアレの知覚は、周波数のみならず強度にも影響を受けるため、強度によってはモアレが視認される場合があり、モアレの視認性が十分に向上されないという問題があった。特に、特許文献１に開示の技術をタッチパネル用の導電性フィルムに適用する場合、人の指等によって押圧されるため、ＢＭ／配線パターン間に微妙な歪みが生じ、強度によるモアレの視認が助長されるという問題もあり、モアレの視認性の向上が十分でないという問題があった。【０００８】
また、特許文献２では、透明導電膜のメッシュパターンの各メッシュの重心スペクトルに関し、人間の視覚の応答特性が急激に低下する、所定の空間周波数よりも高い中〜高空間周波数帯域における平均強度を、人間の視覚の応答特性の高い低空間周波数帯域における平均強度より高くすることで、人間にとって視覚的に感じられるノイズ感を減少させているが、透明導電膜のメッシュパターン自体のノイズ感の減少を図るに過ぎず、ディスプレイのＢＭパターンと透明導電膜のメッシュパターンとの間に生じるモアレを抑制し、モアレの視認性を向上させることにはつながらないという問題があった。
また、特許文献３では、導電性微小パターンが規則的なメッシュパターンである場合には、導電性微小パターン要素を配置する透明基材と異なる透明基材に上記構造を設けて、導電性微小パターン要素の可視性を不明瞭化又は低減するに過ぎないし、導電性微小パターン要素に擬似ランダムな変動を持たせることにより、導電性微小パターン要素の可視性の不明瞭化又は低減を図っているが、擬似ランダムな変動とモアレの抑制との対応が十分に開示されておらず、導電性微小パターン要素に擬似ランダムな変動の持たせ方によっては、モアレの視認性を十分に向上させることにはつながらないという問題があった。【０００９】
ところで、ランダムパターン等の不規則な配線パターンでは、ノイズ、即ちノイズ粒状感（ざらつき感）が視認され易くなり、また、定型パターン等の規則的な配線パターンに比して透過率が小さいという不都合があると言う問題があった。即ち、規則的な配線パターンを採用するとノイズ粒状感が視認し難く、かつ透過率が大きくなるもののモアレの発生を抑制することが容易ではなく、一方、不規則な配線パターンを採用すると、モアレ（干渉縞）の発生が抑制されるものの、ノイズ粒状感が視認し易くなり、かつ透過率が小さくなるという二律背反の関係があるという問題があった。
また、仮に、ディスプレイＢＭパターンとメッシュパターンの干渉によるモアレは、位置あわせ（ディスプレイＢＭパターンとメッシュパターンの空間周波数特性を完全に一致させる）ことを行わない限り、原理的に発生してしまうという問題があった。
また、タッチセンサ（ディスプレイ＋タッチパネル）の観察距離が予め設定された観察距離では、モアレの視認性が十分に向上された状態であっても、観察距離が変化すると、モアレが視認されてしまうケースがあるという問題もあった。【００１０】
本発明は、上記従来技術の問題点を解消し、表示ユニットの表示画面の観察距離によらず、モアレの発生を抑止でき、更には原理的に避けることのできないモアレであってもその視認性を改善でき、モアレ及びノイズの視認性、従って表示画面の視認性を大幅に向上させることができる導電性フィルム、それを備えるタッチパネル及び表示装置、並びに導電性フィルムの評価方法を提供することを目的とする。
また、本発明は、特に、配線を有する透明導電性フィルムをタッチパネル用電極として用いる場合、観察距離によらず、表示装置の表示ユニットのブラックマトリックスに導電性フィルムを重畳して視認する際に大きな画質障害となるモアレの発生を抑止しながらも、更には原理的に避けることのできないモアレであってもその視認性を改善でき、ノイズ粒状感を視認し難くし、しかも、十分な透過率を示すことができ、タッチパネル上の表示の視認性を大幅に向上させることができる導電性フィルム、それを備えるタッチパネル及び表示装置、並びに導電性フィルムの評価方法を提供することを目的とする。
更に、本発明は、特に、両主面にそれぞれ配置される第１及び第２の導電部（電極）を持つ導電性フィルムの導電部を設計する際に、第１及び第２の導電部に配置される配線パターンを、規則性のバラツキの異なるメッシュパターンからなる混合メッシュパターンとすることにより、配線パターンの設計を容易にすることができる導電性フィルム、それを備えるタッチパネル及び表示装置、並びに導電性フィルムの評価方法を提供することを目的とする。
【課題を解決するための手段】
【００１１】
ところで、本発明者は、表示装置（ディスプレイ）の表示画面のモアレの視認性を大幅に向上させることができる１つの技術として、既に、ディスプレイの画素マトリックス及びメッシュパターンの空間周波数ピークを算出し、各々の空間周波数ピーク差分、ピーク強度積算値で得られるモアレの二次元周波数スペクトル及び強度と、視覚伝達関数との畳み込みにより算出された評価値が所定値以下であることを満たす配線パターンを持つ導電性フィルムを特願２０１３−０２０７７５号明細書に提案している。
しかしながら、上記目的を達成する更なる技術の達成のために、本発明者は、更に鋭意研究を重ねた結果、規則的なメッシュパターンとディスプレイのＢＭパターンとの干渉によるモアレを、人間の視覚感度からずれるように発生させることにより、モアレ視認性に優れたメッシュパターンを設計することが可能であるが、しかし、ディスプレイのＢＭパターンとメッシュパターンとの干渉によるモアレは、位置あわせ（ディスプレイのＢＭパターンとメッシュパターンの空間周波数特性を完全に一致させること）を行わない限り、原理的に発生してしまうことを知見した。【００１２】
また、本発明者は、従来技術を用いたモアレ視認性に優れたメッシュパターン設計方法の設計概念は、モアレの空間周波数ができるだけ高周波となるようにすることであるが、しかし、どれだけ高周波にしようと、観察距離をタッチセンサ（ディスプレイ＋タッチパネル）に近づけると、モアレが視認されてしまうケースがあることを知見した。
その結果、本発明者は、これらの知見に基づいて、この技術の課題は、単に、規則的なメッシュパターンとディスプレイのＢＭパターンとの干渉によるモアレを、人間の視覚感度からずれるように高周波側で発生させることではなく、導電性フィルムの両面に、それぞれ、メッシュパターンのメッシュの開口部（セル）の規則性のバラツキの異なる規則性のより高いメッシュパターンと規則性のより低いメッシュパターンを、例えば、規則的な配線パターンと不規則な配線パターンを混合して用いることにより、後者の視認性の低いノイズ（ノイズ粒状性）成分によるマスク効果で、前者によって発生するモアレ、特に原理的に避けることのできない場合であってもモアレの視認性を改善することができることを知見し、本発明に至ったものである。【００１３】
上記技術的課題を達成するために、本発明の第１の態様に係る導電性フィルムは、表示装置の表示ユニット上に設置される導電性フィルムであって、透明基体と、この透明基体の両面にそれぞれ形成される第１及び第２の導電部と、を有し、第１及び第２の導電部は、それぞれ、複数の金属細線により複数の開口部を配列したメッシュ状に形成された第１及び第２の配線パターンを有し、第１及び第２の配線パターンは、それぞれ、その透過率画像データの２次元フーリエ空間におけるスペクトルのばらつきが異なる第１及び第２のパターンを少なくとも有し、第１及び第２の配線パターンは、合成配線パターンとして表示ユニットの画素配列パターンに重畳されており、画素配列パターンと合成配線パターンとの合成パターンは、合成パターンの透過率画像データの２次元フーリエ空間における複数のスペクトルから、画素配列パターンの透過率画像データの２次元フーリエ空間における複数のスペクトル及び合成配線パターンの透過率画像データの２次元フーリエ空間における複数のスペクトルを除き、画素配列パターンと合成配線パターンの第１及び第２の配線パターンとの干渉によるモアレ及びノイズのみの複数のスペクトルを抽出して、抽出された全ての複数のスペクトルの合計値を求め、この合計値から算出したモアレ及びノイズの抽出定量値が所定範囲内であることを特徴とする。【００１４】
上記技術的課題を達成するために、本発明の第１の態様に係る導電性フィルムは、表示装置の表示ユニット上に設置される導電性フィルムであって、透明基体と、この透明基体の両面にそれぞれ形成される第１及び第２の導電部と、を有し、第１及び第２の導電部は、それぞれ、複数の金属細線により複数の開口部を配列したメッシュ状に形成された第１及び第２の配線パターンを有し、第１及び第２の配線パターンは、それぞれ、その透過率画像データの２次元フーリエ空間におけるスペクトルのばらつきが異なる第１及び第２のパターンを少なくとも有し、第１及び第２の配線パターンは、合成配線パターンとして表示ユニットの画素配列パターンに重畳されており、第１のパターンは、その透過率画像データの２次元フーリエ空間におけるスペクトルの標準偏差が−５．０以上であり、第２のパターンは、その透過率画像データの２次元フーリエ空間におけるスペクトルの標準偏差が−５．０未満であることを特徴とする。
また、上記目的を達成するために、本発明の第２の態様に係るタッチパネルは、上記第１の態様に係る導電性フィルムを含むことを特徴とする。
また、上記目的を達成するために、本発明の第３の態様に係る表示装置は、表示ユニットと、この表示ユニットの上に設置される、上記第１の態様に係る導電性フィルムとを備えることを特徴とする。【００１５】
また、上記目的を達成するために、本発明の第４の態様に係る導電性フィルムの評価方法は、表示装置の表示ユニット上に設置される導電性フィルムの評価方法であって、導電性フィルムは、透明基体と、この透明基体の両面にそれぞれ形成される、複数の金属細線により複数の開口部を配列したメッシュ状に形成された第１及び第２の配線パターンを有し、第１及び第２の配線パターンは、それぞれ、その透過率画像データの２次元フーリエ空間におけるスペクトルのばらつきが異なる第１及び第２のパターンを少なくとも有するものであり、第１及び第２の配線パターンのそれぞれの透過率画像データと、第１及び第２の配線パターンが合成配線パターンとして重畳される、表示ユニットの画素配列パターンの透過率画像データとを取得し、取得された画素配列パターン、並びに第１及び第２の配線パターンのそれぞれの透過率画像データから、画素配列パターンと合成配線パターンとの合成パターンの透過率画像データを求め、求められた合成パターン、画素配列パターン、及び合成配線パターンのそれぞれの透過率画像データの２次元フーリエ変換を行い、合成パターンの透過率画像データの２次元フーリエ空間における複数のスペクトル、画素配列パターンの透過率画像データの２次元フーリエ空間における複数のスペクトル、及び合成配線パターンの透過率画像データの２次元フーリエ空間における複数のスペクトルを求め、合成パターンの複数のスペクトルから、画素配列パターンの複数のスペクトル、及び合成配線パターンの複数のスペクトルを除いて、画素配列パターンと合成配線パターンの第１及び第２の配線パターンとの干渉によるモアレ及びノイズのみの複数のスペクトルの合計値を求め、こうして得られた合計値からモアレ及びノイズの抽出定量値を算出し、こうして算出されたモアレ及びノイズの抽出定量値が所定範囲内である導電性フィルムを評価することを特徴とする。【００１６】
上記第１の態様、第２の態様、第３の態様及び第４の態様において、モアレ及びノイズのスペクトルの合計値は、画素配列パターンの空間周波数より低い周波数（表示ユニットの表示解像度に応じて規定されるモアレの最高周波数以下のモアレの周波数）を持つスペクトルのみを全て合計して求められたものであることが好ましい。また、モアレ及びノイズのスペクトルの合計値は、こうして先に求められた第１の合計値から、合成配線パターンの複数のスペクトルの全てを合計して求められた第２の合計値を引き算して求められることが好ましい。
また、定量値を常用対数値でＥとする時、所定範囲は、Ｅ＜−２．１５０であることが好ましく、更に、Ｅ＜−２．２０４２５であることがより好ましい。
い。
また、第１のパターンは、その透過率画像データの２次元フーリエ空間におけるスペクトルの標準偏差が−５．０以上であり、第２のパターンは、その透過率画像データの２次元フーリエ空間におけるスペクトルの標準偏差が−５．０未満であることが好ましい。
また、第１のパターンは、規則的パターンであり、第２のパターンは、不規則パターンであることが好ましい。【００１７】
また、開口部は、金属細線同士が交差することで形成されるものであり、規則的パターンは、複数個の同一形状の開口部が連なるようにメッシュ状に形成された定型パターンであり、不規則パターンは、平面視で、形状が互いに異なる開口部を複数個含むようにメッシュ状に形成されたランダムパターンであることが好ましい。
また、第１の配線パターンを有する第１の導電部は、透明基体の上面に形成され、第２の配線パターンを有する第２の導電部は、透明基体の下面に形成され、第１の配線パターンは、第１のパターンからなり、第２の配線パターンは、第２のパターンからなり、第２の配線パターンの幅は、第１の配線パターンの幅より大きいことが好ましい。
また、モアレの周波数は、合成配線パターンのピーク周波数と画素配列パターンのピーク周波数との差分で与えられ、モアレの強度は、合成配線パターンのピーク強度と画素配列パターンのピーク強度との積で与えられることが好ましい。【００１８】
また、透過率画像データ及びスペクトルの強度は、合成パターンの透過率画像の面積で規格化されたものであることが好ましい。
また、画素配列パターンは、ブラックマトリックスパターンであることが好ましい。
また、第２のパターンを形成する金属細線の線幅は、１〜５μｍであることが好ましい。
また、第２のパターンを形成する開口部同士の平均ピッチは、１００〜５００μｍの範囲内であることが好ましい。
また、第1のパターンを形成する金属細線の線幅は、１〜５μｍであることが好ましい。
また、第1のパターンを形成する開口部は、菱形をなすことが好ましい。
また、第１のパターンを形成する金属細線、及び第２のパターンを形成する金属細線は、銀からなることが好ましい。
【発明の効果】
【００１９】
以上説明したように、本発明によれば、表示ユニットの表示画面の観察距離によらず、モアレの発生を抑止でき、更には原理的に避けることのできないモアレの視認性をノイズ効果によってより改善でき、その結果、モアレ及びノイズの視認性、従って表示画面の視認性を大幅に向上させることができる。
また、本発明によれば、特に、配線を有する透明導電性フィルムをタッチパネル用電極として用いる場合、観察距離によらず、表示装置の表示ユニットのブラックマトリックスに導電性フィルムを重畳して視認する際に大きな画質障害となるモアレの発生を抑止しながらも、更には原理的に避けることのできないモアレであってもその視認性を改善でき、ノイズ粒状感を視認し難くし、しかも、十分な透過率を示すことができ、タッチパネル上の表示の視認性を大幅に向上させることができる。【００２０】
また、本発明によれば、特に、両主面にそれぞれ配置される第１及び第２の導電部（電極）を持つ導電性フィルムの導電部を設計する際に、第１及び第２の導電部に配置される配線パターンを、規則性のバラツキの異なるメッシュパターンからなる混合メッシュパターンとすることができるので、配線パターンの設計を容易にすることができる。
また、本発明によれば、特に、絶縁性透明基体を介して互いに対向する第１及び第２の導電部（電極）の中の一方を形成する開口部（セル）をランダムパターンとするとともに、残余の一方を形成するセルを定型パターンとすることにより、ランダムパターンをなす電極を有することに基づいてモアレの発生を抑制し得、かつ、定型パターンをなす電極を有することに基づいてノイズ粒状感を視認し難く、かつ十分な透過率を示すようにすることができる。
【図面の簡単な説明】
【００２１】
【図１】本発明の第１の実施形態に係る導電性フィルムの一例を模式的に示す部分断面図である。
【図２】図１に示す導電性フィルムの一方の導電部の配線パターンの一例を模式的に示す平面図である。
【図３】図１に示す導電性フィルムの他方の導電部の配線パターンの一例を模式的に示す平面図である。
【図４】（Ａ）及び（Ｂ）は、それぞれ図１に示す導電性フィルムの一方の導電部の配線パターンの他の例を模式的に示す平面図である。
【図５】（Ａ）及び（Ｂ）は、それぞれ図１に示す導電性フィルムの他方の導電部の配線パターンの他の例を模式的に示す平面図である。
【図６】本発明に係る導電性フィルムが適用される表示ユニットの一部の画素配列パターンの一例を表す概略説明図である。
【図７】図１に示す導電性フィルムを組み込んだ表示装置の一実施例の概略断面図である。
【図８】（Ａ）及び（Ｃ）は、それぞれ本発明に係る導電性フィルムが適用される表示ユニットの画素配列パターンの一例を表す模式的部分拡大説明図であり、（Ｂ）及び（Ｄ）は、それぞれ、（Ａ）及び（Ｃ）において、Ｇチャネルの副画素のみ利用するときの画素配列パターンの模式的説明図である。
【図９】（Ａ）〜（Ｈ）は、それぞれ本発明に係る導電性フィルムが適用される表示ユニットの画素配列パターンの別の一例を表す模式的部分拡大説明図である。
【図１０】本発明に係る導電性フィルムの配線評価方法の一例を示すフローチャートである。
【図１１】（Ａ）は、本発明に係る導電性フィルムが適用される表示ユニットの画素配列パターンの一例を模式的に示す部分拡大図であり、（Ｂ）及び（Ｃ）は、それぞれ（Ａ）の画素配列パターンに重畳される導電性フィルムの配線パターンの一例を模式的に示す部分拡大図である。
【図１２】（Ａ）は、図１１（Ｂ）及び（Ｃ）に示す配線パターンの合成配線パターンを模式的に示す部分拡大図であり、（Ｂ）は、（Ａ）に示す合成配線パターンと図１１（Ａ）に示す画素配列パターンとの合成パターンを異なる縮尺で模式的に示す概略説明図である。
【図１３】（Ａ）及び（Ｂ）は、それぞれ図１２（Ａ）に示す合成配線パターン及び図１１（Ａ）に示す画素配列パターンの各透過率画像データの２次元フーリエスペクトルを模式的に示すグラフである。
【図１４】図１２（Ａ）に示す合成配線パターンと図１１（Ａ）に示す画素配列パターンとの干渉によって生じるモアレのスペクトルとディスプレイの解像度及び画素配列パターンのスペクトルとの関係を模式的に示すグラフである。
【図１５】実施例において用いられる導電性フィルムの配線パターンの２次元フーリエ空間におけるスペクトル分布の標準偏差を示すグラフである。
【図１６】（Ａ）、（Ｂ）及び（Ｃ）は、それぞれ実施例において用いられる導電性フィルムの配線パターンの一例を示す概略説明図である。
【図１７】本発明の第２の実施形態に係る導電性フィルムを具備するタッチパネルの要部分解斜視図である。
【図１８】図１７に示すタッチパネルを構成する導電性フィルムの要部分解斜視図である。
【図１９】図１８に示す導電性フィルムの概略縦断面図である。
【図２０】図１９に示す導電性フィルムに形成された第１の導電部（電極）のセルの一例を示す概略平面図である。
【図２１】図１９に示す第１の導電部（電極）のセルの別の一例を示す概略平面図である。
【図２２】図１９に示す導電性フィルムに形成された第２の導電部（電極）のセルの一例を示す概略平面図である。
【図２３】図２１に示す第１の導電部（電極）と図２２に示す第２の導電部（電極）との重なり部分を示す概略平面図である。
【図２４】図１９に示す導電性フィルムとは別の実施形態に係る導電性フィルムの概略縦断面図である。
【図２５】評価用導電性フィルムの概略縦断面図である。
【発明を実施するための形態】
【００２２】
以下に、本発明に係る導電性フィルム及び導電性フィルムの評価方法を添付の図面に示す好適な実施形態を参照して詳細に説明する。
以下では、本発明に係る導電性フィルムについて、タッチパネル用の導電性フィルムを代表例として説明するが、本発明は、これに限定されず、透明基体の両面に配置される規則性のバラツキの異なる配線パターンを持つ導電部を有するものであり、液晶ディスプレイ（ＬＣＤ：Liquid Crystal Display）やプラズマディスプレイ（ＰＤＰ：Plasma Display Panel）や有機ＥＬディスプレイ（ＯＥＬＤ：Ｏrganic ＥlectroＬuminescence Ｄisplay）や無機ＥＬディスプレイ等の表示装置の表示ユニット上に設置される導電性フィルムであれば、どのようなものでも良く、例えば、電磁波シールド用の導電性フィルム等であっても良いのはもちろんである。
【００２３】
図１は、本発明の第１の実施形態に係る導電性フィルムの一例を模式的に示す部分断面図であり、図２及び図３は、それぞれ、図１に示す導電性フィルムの一方及び他方の導電部の配線パターンの一例を模式的に示す平面図である。
これらの図に示すように、本実施形態の導電性フィルム１０は、表示装置の表示ユニット上に設置されるもので、表示ユニットのブラックマトリックス（ＢＭ：Black Matrix）に対してモアレの発生の抑止の点で優れた配線パターン、特に、ＢＭパターンに重畳した際にＢＭパターンに対してモアレの視認性の点で最適化された配線パターンを持つ導電性フィルムであり、透明基体１２と、透明基体１２の一方の面（図１中上側の面）に形成され、複数の金属製の細線（以下、金属細線という）１４からなる第１導電部（電極）１６ａと、第１導電部１６ａの略全面に、金属細線１４を被覆するように、第１接着層１８ａを介して接着された第１保護層２０ａと、透明基体１２の他方の面（図１中下側の面）に形成され、複数の金属製の細線１４からなる第２導電部（電極）１６ｂと、第２導電部１６ｂの略全面に第２接着層１８ｂを介して接着された第２保護層２０ｂとを有する。
なお、以下では、第１導電部１６ａ及び第２導電部１６ｂを総称する際には単に導電部１６といい、第１接着層１８ａ及び第２接着層１８ｂを総称する際には単に接着層１８といい、第１保護層２０ａ及び第２保護層２０ｂを総称する際には単に保護層２０という。
【００２４】
透明基体１２は、絶縁性を有し、かつ透光性が高い材料からなり、例えば、樹脂、ガラス、シリコン等の材料を挙げることができる。樹脂としては、例えば、ＰＥＴ（Polyethylene Terephthalate）、ＰＭＭＡ（Polymethyl methacrylate）、ＰＰ（polypropylene）、ＰＳ（polystyrene）等が挙げられる。
金属細線１４は、導電性の高い金属製の細線であれば特に制限的ではなく、例えば、金（Ａｕ）、銀（Ａｇ）又は銅（Ｃｕ）の線材等からなるものを挙げることができる。金属細線１４の線幅は、視認性の点からは細い方が好ましいが、例えば、３０μｍ以下であれば良い。なお、タッチパネル用途では、金属細線１４の線幅は０．１μｍ以上１５μｍ以下が好ましく、１μｍ以上９μｍ以下がより好ましく、２μｍ以上７μｍ以下がさらに好ましい。
【００２５】
導電部１６（１６ａ，１６ｂ）は、複数の金属細線１４をメッシュ状に配列したメッシュ配線２１（２１ａ，２１ｂ）によって形成される配線パターン２４（２４ａ，２４ｂ）を有する。配線パターン２４（２４ａ，２４ｂ）は、詳細には、複数の金属細線１４同士を互いに交差させて形成された所定の形状の開口部（セル）２２（２２ａ，２２ｂ）が配列されたメッシュのパターンである。
第１導電部１６ａは、図２に示すように、金属細線１４と、隣接する金属細線１４間の開口部（セル）２２ａとによるメッシュ形状の配線パターン２４ａとを有する導電層２８ａ（図１参照）からなり、配線パターン２４ａは、同一形状の菱形の開口部２２ａが複数個規則的に繰り返される規則的な配線パターン、いわゆる定型パターンである。
一方、第２導電部１６ｂは、金属細線１４と、隣接する金属細線１４間の開口部２２ｂとによるメッシュ形状の配線パターン２４ｂとを有する導電層２８ｂ（図１参照）からなり、配線パターン２４ｂは、図３に示すように、平面視で互いに形状が異なる開口部２２ｂが複数個繋がった不規則な配線パターン、いわゆるランダムパターンである。
【００２６】
なお、図２に示す例においては、配線パターン２４ａは、開口部２２ａのメッシュ形状が菱形である定型パターンであり、図３に示す例においては、配線パターン２４ｂは、開口部２２ｂのメッシュ形状が不定形状であるランダムパターンであるが、本発明はこれに限定されず、配線パターン２４ａ及び配線パターン２４ｂは、開口部（セル）２２（２２ａ，２２ｂ）の形状や繰り返しの等のパターンの規則性のバラツキの異なるメッシュパターンであり、一方が、規則性のより高いメッシュパターンであり、一方が、規則性のより低いメッシュパターンであれば良い。
ここで、規則性のより高いメッシュパターン（以下、高規則性パターンという）は、その透過率画像データの２次元フーリエ空間において、特定のピークを持ち易いので、バラツキが大きくなり、高規則性パターンとしては、２次元フーリエ空間におけるスペクトル（２次元フーリエ変換して得られたスペクトル）の標準偏差が、−５．０以上であるのが好ましく、規則性のより低いメッシュパターン（以下、低規則性パターンという）は、その透過率画像データの２次元フーリエ空間において、特定のピークを持ち難いので、バラツキは小さくなり、低規則性パターンとしては、２次元フーリエ空間におけるスペクトル（２次元フーリエ変換して得られたスペクトル）の標準偏差が、−５．０未満であるのが好ましい。
【００２７】
なお、高規則性パターン及び低規則性パターンは、パターンの規則性のバラツキが異なり、これらの合成配線パターンが、後述する表示装置の所定の画素配列（ＢＭ）パターンに対してモアレ視認性が最適化された配線パターンを構成できれば、それらの開口部２２の形状は如何なるものであっても良い。即ち、配線パターン２４の開口部２２は、少なくとも３辺を有する多角形状や円や楕円や閉じた不定形状であれば如何なるものでも良く、また、同一メッシュ形状であっても、異なるメッシュ形状であっても良く、例えば、正三角形、二等辺三角形等の三角形や、正方形（正方格子）、長方形等の四角形（矩形）や、五角形や、六角形（正六角形）等の、同一又は異なる多角形等を挙げることができる。即ち、高規則性パターン及び低規則性パターンは、パターンの規則性のバラツキの高低に差があり、所定のＢＭパターンに対してモアレ視認性が最適化された合成配線パターンを形成できれば良い。
また、配線パターン２４には、開口部２２を構成する金属細線１４の辺（メッシュ配線２１）に断線(ブレーク)が入っていてもよい。このようなブレークのあるメッシュ状配線パターンの形状としては、本出願人の出願に係る特願２０１２−２７６１７５号明細書に記載の導電性フィルムのメッシュ状配線パターンの形状を適用することができる。
【００２８】
なお、配線パターン２４ａとして用いられる高規則性パターンとしては、開口部２２ａの形状が同一形状であり、規則性のある同一形状の開口部２２ａの配列によって構成される定型の配線パターンであるのがより好ましく、図２に示す菱形の開口部２２ａが規則的に配列された菱形パターンに加え、例えば、図４（Ａ）及び（Ｂ）に示す配線パターン２４ａのように、正方形の開口部が規則的に配列された正方格子パターンや、正方六角形の開口部が規則的に配列された正六角形パターン等を挙げることができる。
また、配線パターン２４ｂとして用いられる低規則性パターンとしては、開口部２２ｂの形状が異なる形状であり、異なる形状の開口部２２の配列によってランダム化された配線パターンであるのがより好ましく、図３に示す異なる多角形状の開口部２２ｂが配列されたランダムパターンに加え、例えば、図５（Ａ）及び（Ｂ）に示す配線パターン２４ｂのように、異なる形状の開口部２２がランダムに配列されたランダムパターン等を挙げることができる。このようなランダムパターンとしては、例えば、アドべ(Adobe)社製フォトショップ(Photoshop)（登録商標）のステンドグラス機能を用いて作成したランダムパターン等も用いることができる。
【００２９】
図１に示す実施の形態導電性フィルム１０では、図１中、透明基体１２の上側（観察側）の第１導電部１６ａに、より規則性の高い配線パターン２４ａを配置し、透明基体１２の下側（ディスプレイ側）の第２導電部１６ｂに、より規則性の低い配線パターン２４ｂを配置しているが、本発明はこれに限定されず、逆に、図１中、透明基体１２の上側（観察側）の第１導電部１６ａに、より規則性の低い配線パターン２４ｂを配置し、透明基体１２の下側（ディスプレイ側）の第２導電部１６ｂに、より規則性の高い配線パターン２４ａを配置しても良い。
また、第１導電部１６ａ及び第２導電部１６ｂには、それぞれ少なくとも１層の配線パターン２４ａ及び２４ｂが配置されていれば良く、その他の配線パターンの層を含んでいても良い。即ち、第１導電部１６ａ及び第２導電部１６ｂには、それぞれ少なくとも１層の配線パターン２４ａ及び２４ｂが配置されていればよい。
【００３０】
なお、本実施形態の導電性フィルム１０においては、第１導電部１６ａ及び第２導電部１６ｂの少なくとも１部が、これらの導電部１６ａ及び１６ｂから所定間隔だけ離間して配置され、これらの導電部１６ａ及び１６ｂと電気的に絶縁された状態下にある、金属細線１４からなるダミー電極部で構成されていても良い。このようなダミー電極部を設けることにより、第１導電部１６ａと第２導電部１６ｂの各メッシュ配線２１（２１ａ、２１ｂ）を対応して配置することができるので、透明基体１２の一方（例えば、図１の上側又は下側）の面での金属細線による散乱を制御することができ、電極視認性を改善することができる。
【００３１】
上述したように、第１保護層２０ａは、第１導電部１６ａの金属細線１４を被覆するように、第１接着層１８ａによって第１導電部１６ａからなる導電層２８ａの略全面に接着されている。また、第２保護層２０ｂは、第２導電部１６ｂの金属細線１４を被覆するように、第２接着層１８ｂによって第２導電部１６ｂからなる導電層２８ｂの略全面に接着されている。
ここで、接着層１８（第１接着層１８ａ及び第２接着層１８ｂ）の材料としては、ウェットラミネート接着剤、ドライラミネート接着剤、又はホットメルト接着剤等が挙げられるが、第１接着層１８ａの材質と第２接着層１８ｂの材質とは、同一であってもよいし、異なってもよい。
また、保護層２０（第１保護層２０ａ及び第２保護層２０ｂ）は、透明基体１２と同様に、樹脂、ガラス、シリコンを含む透光性が高い材料からなるが、第１保護層２０ａの材質と第２保護層２０ｂの材質とは、同一であってもよいし、異なってもよい。
【００３２】
第１保護層２０ａの屈折率ｎ１及び第２保護層２０ｂの屈折率ｎ２は、いずれも、透明基体１２の屈折率ｎ０に等しいか、これに近い値であるのが好ましい。この場合、第１保護層２０ａに対する透明基体１２の相対屈折率ｎｒ１及び第２保護層２０ｂに対する透明基体１２の相対屈折率ｎｒ２は、共に１に近い値となる。
ここで、本明細書における屈折率は、波長５８９．３ｎｍ（ナトリウムのＤ線）の光における屈折率を意味し、例えば樹脂では、国際標準規格であるＩＳＯ  １４７８２：１９９９（ＪＩＳ  Ｋ  ７１０５に対応）で定義される。また、第１保護層２０ａに対する透明基体１２の相対屈折率ｎｒ１は、ｎｒ１＝（ｎ１／ｎ０）で定義され、第２保護層２０ｂに対する透明基体１２の相対屈折率ｎｒ２は、ｎｒ２＝（ｎ２／ｎ０）で定義される。
ここで、相対屈折率ｎｒ１及び相対屈折率ｎｒ２は、０．８６以上１．１５以下の範囲にあればよく、より好ましくは、０．９１以上１．０８以下である。
なお、相対屈折率ｎｒ１及び相対屈折率ｎｒ２の範囲をこの範囲に限定して、透明基体１２と保護層２０（２０ａ、２０ｂ）との部材間の光の透過率を制御することにより、モアレの視認性をより向上させ、改善することができる。
【００３３】
上述した本発明の第１の実施形態の導電性フィルム１０は、例えば、図６に一部を模式的に示す表示ユニット３０（表示部）のタッチパネル４４（図７参照）に適用されるが、タッチパネル４４のタッチセンサを構成するために必要な金属細線１４によるメッシュ配線のパターン（メタルメッシュパターン）を構成する際に、パターンの規則性のバラツキの異なる２種のメッシュパターン、即ち高規則性パターンと低規則性パターンを利用するものである。ここで、高規則性パターン、好ましくは、規則的なメッシュパターンは、従来技術同様に、表示装置（ディスプレイ）のブラックマトリックス（以下、ＢＭともいう）と干渉してモアレを発生させる。一方、低規則性パターン、好ましくは、不規則なメッシュパターンは、ＢＭと干渉して、ノイズを発生させる。本発明の導電性フィルムでは、両者のパターンを混合することで、高規則性パターンで発生する高周波のモアレは、低規則性パターンのノイズ成分によるマスク効果で、モアレが視認されにくくしている。本発明のように、モアレをマスクすることで視認されるモアレを改善する場合、モアレの視認性をより最適化する際には、規則的なメッシュパターンとＢＭの干渉によるモアレ、及び不規則なメッシュパターンとＢＭの干渉によるノイズのバランスが重要となるため、本発明では、好ましくは、それぞれのパターンの特徴を数値化し、最終的に得られる画質を数値で規定している。
【００３４】
本発明の導電性フィルム１０は、パターンの規則性のバラツキの異なる２種のメッシュパターンの合成配線パターンが、表示ユニット３０の画素配列（ＢＭ）パターンに対してモアレ視認性の点で最適化された合成配線パターンを持つものである。なお、本発明では、ＢＭ（画素配列）パターンに対してモアレ視認性の点で最適化されたとは、所定のＢＭパターンに対して、高規則性パターンとの干渉で不可避的に発生する高周波のモアレを、低規則性パターンとの干渉で同時に生じるノイズ成分によるマスク効果で視認しにくくすることができる高規則性パターンと低規則性パターンとの１群の組み合わせ又は合成配線パターンを言う。なお、本発明では、最適化された２以上の１群の組み合わせ又は合成配線パターンにおいても、最も知覚されない組み合わせ（合成配線パターン）から知覚されにくい組み合わせ（合成配線パターン）まで序列を付けることができ、最もモアレが知覚されない１つの配線パターンの組み合わせ（合成配線パターン）を決定することもできる。
なお、所定のＢＭパターンに対する合成配線パターンのモアレ視認性の最適化については、後述する。
本発明の導電性フィルムは、基本的に以上のように構成される。
【００３５】
図６は、本発明の導電性フィルムが適用される表示ユニットの一部の画素配列パターンの一例を模式的に表す概略説明図である。
図６にその一部を示すように、表示ユニット３０には、複数の画素３２がマトリクス状に配列されて所定の画素配列パターンが構成されている。１つの画素３２は、３つの副画素（赤色副画素３２ｒ、緑色副画素３２ｇ及び青色副画素３２ｂ）が水平方向に配列されて構成されている。１つの副画素は、垂直方向に縦長とされた長方形状とされており、３つの副画素３２ｒ、３２ｇ及び３２ｂは、同一、もしくは同様の長方形状とされている。画素３２の水平方向の配列ピッチ（水平画素ピッチＰｈ）と画素３２の垂直方向の配列ピッチ（垂直画素ピッチＰｖ）は略同じとされている。つまり、１つの画素３２とこの１つの画素３２を囲むブラックマトリックス（ＢＭ）３４（パターン材）にて構成される形状（網掛けにて示す領域３６を参照）は正方形となっている。また、１つの画素３２のアスペクト比は１ではなく、水平方向（横）の長さ＞垂直方向（縦）の長さとなっている。
【００３６】
なお、図示例では、１つの副画素（３２ｒ、３２ｇ、３２ｂ）の形状は、長方形状であるが、本発明はこれに限定されず、例えば、図８（Ａ）に示す端部に切り欠きのある長方形状であっても良いし、図８（Ｃ）示すように、所定角度で屈曲した、又は折れ曲がった縦長の帯状であっても良く、若しくは湾曲した縦長の帯状であっても良く、また、端部に切り欠きがあっても良いし、その切り欠きの形状もどのような形状であっても良く、例えば、図９（Ａ）〜（Ｈ）に示すような種々の形状であっても良いし、従来公知の画素形状であればどのような形状でも良い。また、１つの画素３２の副画素３２ｒ、３２ｇ、３２ｂの形状は、同一形状であっても、副画素毎に異なっていても良い。
また、画素ピッチ（水平及び垂直画素ピッチＰｈ、Ｐｖ）も、表示ユニット３０の解像度に応じたピッチであれば、如何なるピッチでも良く、例えば、８４μｍ〜２６４μｍの範囲内のピッチを上げることができる。
【００３７】
図６から明らかなように、複数の画素３２の各々の副画素３２ｒ、３２ｇ及び３２ｂによって構成される画素配列パターンは、これらの副画素３２ｒ、３２ｇ及び３２ｂをそれぞれ囲むＢＭ３４のＢＭパターン３８によって規定され、表示ユニット３０と導電性フィルム１０とを重畳した時に発生するモアレは、表示ユニット３０のＢＭ３４のＢＭパターン３８と導電性フィルム１０の合成配線パターン（配線パターン２４ａ及び２４ｂ）との干渉によって発生するので、厳密には、ＢＭパターン３８は、画素配列パターンの反転パターンであるが、ここでは、同様のパターンを表すものとして扱う。
【００３８】
上記したＢＭ３４によって構成されるＢＭパターン３８を有する表示ユニット３０の表示パネル上に、例えば、導電性フィルム１０を配置する場合、導電性フィルム１０の配線パターン２４は、ＢＭ（画素配列）パターン３８に対してモアレ視認性の点で最適化されているので、画素３２の配列周期と、導電性フィルム１０の金属細線１４の配線配列との間における空間周波数の干渉が殆どなく、モアレの発生が抑制されることになる。
なお、図６に示す表示ユニット３０は、液晶パネル、プラズマパネル、有機ＥＬパネル、無機ＥＬパネル等の表示パネルで構成されてもよい。
【００３９】
次に、本発明の導電性フィルムを組み込んだ表示装置について、図７を参照しながら説明する。図７では、表示装置４０として、本実施の形態に係る導電性フィルム１０を組み込んだ投影型静電容量方式のタッチパネルを代表例に挙げて説明するが、本発明はこれに限定されないことは言うまでもない。
図７に示すように、表示装置４０は、カラー画像及び／又はモノクロ画像を表示可能な表示ユニット３０（図６参照）と、入力面４２（矢印Ｚ１方向側）からの接触位置を検出するタッチパネル４４と、表示ユニット３０及びタッチパネル４４を収容する筐体４６とを有する。筐体４６の一面（矢印Ｚ１方向側）に設けられた大きな開口部を介して、ユーザは、タッチパネル４４にアクセス可能である。
【００４０】
タッチパネル４４は、上記した導電性フィルム１０（図１参照）の他、導電性フィルム１０の一面（矢印Ｚ１方向側）に積層されたカバー部材４８と、ケーブル５０を介して導電性フィルム１０に電気的に接続されたフレキシブル基板５２と、フレキシブル基板５２上に配置された検出制御部５４とを備える。
表示ユニット３０の一面（矢印Ｚ１方向側）には、接着層５６を介して、導電性フィルム１０が接着されている。導電性フィルム１０は、他方の主面側（第２導電部１６ｂ側）を表示ユニット３０に対向させて、表示画面上に配置されている。
【００４１】
カバー部材４８は、導電性フィルム１０の一面を被覆することで、入力面４２としての機能を発揮する。また、接触体５８（例えば、指やスタイラスペン）による直接的な接触を防止することで、擦り傷の発生や、塵埃の付着等を抑止可能であり、導電性フィルム１０の導電性を安定させることができる。
カバー部材４８の材質は、例えば、ガラス、樹脂フィルムであってもよい。カバー部材４８の一面（矢印Ｚ２方向側）を酸化珪素等でコートした状態で、導電性フィルム１０の一面（矢印Ｚ１方向側）に密着させてもよい。また、擦れ等による損傷を防止するため、導電性フィルム１０及びカバー部材４８を貼り合わせて構成してもよい。
【００４２】
フレキシブル基板５２は、可撓性を備える電子基板である。本図示例では、筐体４６の側面内壁に固定されているが、配設位置は種々変更してもよい。検出制御部５４は、導体である接触体５８を入力面４２に接触する（又は近づける）際、接触体５８と導電性フィルム１０との間での静電容量の変化を捉えて、その接触位置（又は近接位置）を検出する電子回路を構成する。
本発明の導電性フィルムが適用される表示装置は、基本的に以上のように構成される。
【００４３】
次に、本発明において、表示装置の所定のＢＭパターンに対する導電性フィルムの配線パターンの組み合わせ（合成配線パターン）のモアレ視認性の及び最適化の手順について説明する。即ち、本発明の導電性フィルムにおいて、表示装置の所定のＢＭパターンに対してモアレが人間の視覚に知覚されないように最適化された合成配線パターン（配線パターンの組み合わせ）を評価して決定する手順について説明する。
図１０は、本発明の導電性フィルムの評価方法の一例を示すフローチャートである。
【００４４】
本発明の導電性フィルムの配線パターンの評価方法は、表示装置の表示ユニットのＢＭ（画素配列）パターンと導電性フィルムのバラツキの異なる２種の配線パターンの組み合わせ（合成配線パターン）との高速フーリエ変換（ＦＦＴ）を用いた周波数解析により得られるＢＭパターンと導電性フィルムの合成配線パターンとの合成パターンの２次元フーリエ空間における複数の全てのスペクトル（周波数・強度を持つ）から、ＢＭパターンの２次元フーリエ空間における複数の全てのスペクトル（周波数・強度を持つ）および合成配列パターンの２次元フーリエ空間における複数の全てのスペクトル（周波数・強度を持つ）を除いて、ＢＭパターンと合成配線パターンとの干渉によるモアレ及びノイズのみの複数のスペクトルを抽出して、抽出された全ての複数のスペクトルの合計値を求め、この合計値からモアレ及びノイズの抽出定量値を算出し、算出された定量値が所定範囲内である合成配線パターンを形成するバラツキの異なる２種の配線パターンの組み合わせを、モアレが視認されないように最適化された２種の配線パターンの組み合わせとして評価し、決定するものである。
なお、図７に示す構成の表示装置４０の、メタルメッシュによる導電性フィルム１０を用いるタッチパネル４４において、最終的に観察者の目に届く光は、ＢＭ３４からの放射光と、導電性フィルム１０の透過率との積算で表される。従って、周波数空間（フーリエ空間）上では、畳み込み積分を行っていることと等価である。このため、この本発明法では、モアレ及びノイズのスペクトル（周波数／強度）の抽出のために一般的にＦＦＴが利用されるが、利用方法によっては、対象物のスペクトル（周波数／強度）が大きく変化するため、以下の手順を規定している。
【００４５】
本発明法においては、まず、手順１として、ＢＭパターン及び２種の配線パターンの各画像（透過率画像データ：０−１）の作成を行う。即ち、図１０に示すように、ステップＳ１０において、図７に示す表示装置４０の表示ユニット３０のＢＭパターン３８（ＢＭ３４）（図１１（Ａ）参照）の透過率画像データと、導電性フィルム１０の配線パターン２４ａ及び２４ｂ（金属細線１４）（図１１（Ｂ）および（Ｃ）参照）の透過率画像データとを作成して、取得する。なお、予め、ＢＭパターン３８の透過率画像データと、配線パターン２４ａ及び２４ｂの各透過率画像データとが準備されている、若しくは蓄えられている場合には、準備された、若しくは蓄えられた中から取得するようにしても良い。
【００４６】
表示ユニット３０のＢＭパターン３８は、例えば、図６、図８（Ａ）及び（Ｃ)に示すように、１画素３２当たり、ＲＧＢの３色の副画素３２ｒ、３２ｇ及び３２ｂからなるパターンとすることができるが、単色を利用し、例えば、図１１（Ａ）、図８（Ｂ）及び（Ｄ)に示すように、Ｇチャネルの副画素３２ｇのみ利用するときは、Ｒ及びＢチャネルの透過率画像データは０とするのが好ましい。本発明において、ＢＭ３４の画像データ、即ちＢＭパターン３８の透過率画像データとしては、図６及び図１１（Ａ）に示すように、単純な矩形状のものに限定されず、使用可能なＢＭパターンであればＢＭ３４の長方形の開口を持たないものでも良く、任意のＢＭ開口を持つＢＭパターンを指定して用いても良い。例えば、ＢＭパターン３８は、上述したように、図６及び図１１（Ａ）に示す単純な矩形状のものに限定されず、図８（Ａ）及び（Ｂ）に示されるように、ＢＭ３４の略長方形（切欠あり）の開口（副画素３２ｒ、３２ｇ及び３２ｂ）を持つものや、図８（Ｃ）および（Ｄ）に示すように、１画素３２当たり、所定角度で屈曲した帯状の開口を持つ、ＲＧＢの３色の副画素３２ｒ、３２ｇ及び３２ｂからなるパターンであっても良いし、湾曲した帯状の開口を持つものや鉤状の開口を持つものであっても良い。
【００４７】
一方、導電性フィルム１０のバラツキの異なる２種の配線パターンの内の規則性のより高い配線パターン２４ａは、例えば、図２及び図１１（Ｂ）に示すように、配線となる金属細線１４が水平線に対して所定角度、例えば、４５°[ｄｅｇ]未満の角度傾いた菱形パターンとすることができるが、上述したように、配線パターン２４ａの開口部２２ａの形状は、どのようなものであっても良く、例えば、図４（Ａ）及び（Ｂ）に示すような正方形（正方格子）や正六角形であっても良く、正方格子も、４５°[ｄｅｇ］傾いた正方格子であっても良いのはもちろんである。
他方、導電性フィルム１０のバラツキの異なる２種の配線パターンの内の規則性のより低い配線パターン２４ｂは、例えば、図３及び図１１（Ｃ）に示すように、異なる形状の開口部２２ｂの配列からなるランダムパターンとすることができるが、上述したように、配線パターン２４ｂの開口部２２ｂの形状は、どのようなものであっても良く、例えば、図５（Ａ）及び（Ｂ）に示すようなランダム形状であっても良いのはもちろんである。
【００４８】
なお、ここでは、ＢＭパターン３８の透過率画像データを作成する際に、その解像度を例えば、高解像度である１２７００ｄｐｉとし、透過率画像データのサイズを規定し、例えば、画素サイズを９９４４（画素）×９９４４（２２６×４４（繰り返し数））（画素）とする。ここで、画像データのサイズは、例えば、１００００×１００００に最も近い、ＢＭ３４の画像データ（ＢＭパターン３８）のサイズの整数倍であれば十分である。これは、それぞれの画像サイズを積算した際に、画像データが周期的な方が、２ＤＦＦＴ（２次元高速フーリエ変換）を行う際に、誤差が最小になるためである。なお、図１１（Ａ）に示す表示ユニット（ディスプレイ）３０のＢＭ３４の副画素３２ｇは、例えば、１１２ｄｐｉであり、開口部のサイズは、例えば、２８（画素）×７７（画素）である。
このようなＢＭパターン３８の透過率画像データが作成される。
【００４９】
続いて、配線パターン２４ａ及び２４ｂの透過率画像データを作成する。これらの２種の画像データが用意され、最終的に両者の積算が行われる。配線パターン２４ａ及び２４ｂは、それぞれ、図１１（Ｂ）および（Ｃ）に示すメッシュパターンであり、その画像解像度は、例えば、ＢＭパターン３８の解像度と同じ、１２７００ｄｐｉであり、画素サイズは、例えば、ＢＭパターン３８と同じ、９９４４（画素）×９９４４（画素）である。配線パターン２４ａ及び２４ｂの金属細線１４の線幅は、例えば、４μｍである。
図１１（Ｂ）に示す規則的なメッシュパターンは菱形パターンであり、ピッチ（ｐ：図２参照）は、斜辺（ｐ：図２参照）を示し、例えば、２５２μｍであり、対角（θ：図２参照）は、例えば、５０°［ｄｅｇ］である。
図１１（Ｃ）に示す不規則なメッシュパターンはランダムパターンであり、このようなランダムパターンは、例えば、アドべ(Adobe)社製フォトショップ(Photoshop)（登録商標）のステンドグラス機能を用いて作成したものである。
【００５０】
こうして得られた図１１（Ｂ）および（Ｃ）に示す配線パターン２４ａ及び２４ｂの透過率画像データが積算され、図１２（Ａ）に示す合成配線パターンの各透過率を掛けた画像データが求められる。
その後、こうして得られた図１２（Ａ）に示す２者の合成配線パターンの各透過率を掛けた画像データとＢＭパターン３８の透過率画像データとが積算され、図１２（Ｂ）に示す３者の合成パターンの各透過率を掛けた画像データが求められる。こうして求められた図１２（Ｂ）に示す合成パターンの各透過率を掛けた画像データは、ノイズを含むモアレの空間周波数を含むことになる。
【００５１】
次に、手順２として、手順1で作成した種々の透過率画像データに対して、２次元高速フーリエ変換（２ＤＦＦＴ（基底２））を行う。即ち、図１０に示すように、ステップＳ１２において、ステップＳ１０で作成したＢＭパターン３８の透過率画像データ、２種の配線パターン２４ａ及び２４ｂの合成配線パターンの各透過率を掛けた画像データ、並びにＢＭパターン３８と合成配線パターンとの合成パターンの各透過率を掛けた画像データの各々に対して２ＤＦＦＴ（基底２）処理を行い、ＢＭパターン３８の透過率画像データ、２種の配線パターン２４ａ及び２４ｂの合成配線パターンの各透過率を掛けた画像データ、並びにＢＭパターン３８と合成配線パターンとの合成パターンの各透過率を掛けた画像データの２次元フーリエスペクトル（フーリエ空間における複数の２ＤＦＦＴスペクトル（周波数及び強度）を算出する。
【００５２】
ここで得られる合成配線パターンの各透過率を掛けた画像データの２次元フーリエ空間におけるスペクトルの複数のスペクトルピーク及びノイズ成分を、図１３（Ａ）に模式的に示す。なお、図１３（Ａ）において、矢印で指す直線は、規則的なパターンである配線パターン２４ａの基本周波数のベクトル方向を示す。ここで、図１３（Ａ）に示すスペクトルの複数のスペクトルピークは、主として、規則的な配線パターン２４ａによるものであり、図１３（Ａ）に示す円内に局在するノイズ成分は、主として、不規則な配線パターン２４ｂによるものである。
また、こうして得られるＢＭパターン３８の透過率画像データの２次元フーリエ空間における複数のスペクトルのスペクトルピークを、図１３（Ｂ）に模式的に示す。
ここでは、ＢＭパターン３８及び合成配線パターンの配線パターン２４ａの各スペクトルピークのスペクトル周波数及びスペクトル強度は、以下のようにして算出して取得する。
【００５３】
まず、スペクトル周波数の取得において、ピークの算出には、ＢＭパターン３８及び合成配線パターンの配線パターン２４ａを考慮すれば良く、ＢＭパターン３８及び配線パターン２４ａの基本周波数から周波数ピークを求める。これは、２ＤＦＦＴ処理を行う透過率画像データは離散値であるため、スペクトル周波数が、画像サイズの逆数に依存してしまうからである。周波数ピーク位置は、独立した２次元基本周波数ベクトル成分を元に組み合わせて表すことができるので、当然ながら、図１３（Ａ）及び（Ｂ）に示すように、得られるピーク位置は格子状となる。
【００５４】
ここで、得られたスペクトル強度は、画像面積（画像サイズ）で規格化するのが好ましい。上述した例では、４９４４×４９４４で規格化しておくのが好ましい（パーセバルの定理）。
なお、合成配線パターンの不規則な配線パターン２４ｂの各スペクトルは、特定のピークを持ちにくいので、図１３（Ａ）に示すように、ｕｖ平面上に原点を中心とする所定範囲（所定半径の円）内に強度の小さいノイズ成分として分布する。
【００５５】
ここで、図１３（Ａ）に模式的に示す２種の配線パターン２４ａ及び２４ｂの合成配線パターンの２ＤＦＦＴスペクトルと、図１３（Ｂ）に模式的に示すＢＭパターン３８の２ＤＦＦＴスペクトルとの畳み込み積分（コンボリューション）を行うと、モアレのスペクトル、合成配線パターンの２ＤＦＦＴスペクトル、及びＢＭパターン３８の２ＤＦＦＴスペクトルが混合されたスペクトルが得られる。
換言すれば、得られる合成パターンの各透過率を掛けた画像データの２ＤＦＦＴによって得られる２次元フーリエ空間における複数のスペクトルには、モアレのスペクトル、合成配線パターンの２ＤＦＦＴスペクトル、及びＢＭパターン３８の２ＤＦＦＴスペクトルが含まれることになる。したがって、合成パターンの２ＤＦＦＴスペクトルには、ノイズを含むモアレの複数のスペクトルも含まれている。
【００５６】
次に、手順３として、モアレの定量化を行い、ノイズを含むモアレの抽出定量値を算出する。即ち、図１０に示すように、ステップＳ１４において、ステップＳ１２で算出したＢＭパターン３８と２種の配線パターン２４ａ及び２４ｂの合成配線パターンとの合成パターンの各透過率を掛けた画像データ（図１２（Ａ）参照）の２ＤＦＦＴスペクトルの絶対値を、上述したように、画像サイズ（４９４４×４９４４）で規格化した後に、画像領域内で合計し、合成パターンの２ＤＦＦＴスペクトル（絶対値）の合計値を取得する。
こうして得られた合成パターンの２ＤＦＦＴスペクトルの合計値には、上述したように、モアレのスペクトル、合成配線パターンの２ＤＦＦＴスペクトル、及びＢＭパターン３８の２ＤＦＦＴスペクトルが含まれる。
【００５７】
このため、次に、合成パターンの２ＤＦＦＴスペクトルの合計値から、合成配線パターンの２ＤＦＦＴスペクトル、及びＢＭパターン３８の２ＤＦＦＴスペクトルを除き、ノイズを含むモアレのスペクトル（周波数及び強度）のみを抽出する。なお、ここでも、モアレのスペクトル強度を、絶対値として取り扱う。
こうして抽出されたノイズを含むモアレ（モアレ／ノイズ）のスペクトルのみの合計値を求める。
こうして得られたモアレ／ノイズのスペクトルのみの合計値の常用対数値を求め、モアレ／ノイズ抽出定量値（常用対数）を得る。
なお、合成パターンの２ＤＦＦＴスペクトルの合計値から、モアレ／ノイズのスペクトルのみの合計値を求める具体的な方法については、後述する。
【００５８】
ところで、実空間においては、モアレは、本来、合成配線パターンの配線パターン２４ａとＢＭパターン３８との透過率画像データの掛け算によって起こるため、周波数空間においては、両者の畳み込み積分（コンボリューション）を行うことになる。しかしながら、ステップＳ１２において、ＢＭパターン３８及び合成配線パターン（配線パターン２４ａ）の両２次元フーリエスペクトルのピークスペクトル（周波数及び強度）が算出されているので、両者のそれぞれの周波数ピーク同士の差分（差の絶対値）を求め、求められた差分をモアレの周波数とし、両者の組み合わせた２組のベクトル強度の積を求め、求められた積をモアレの強度（絶対値）とすることで、モアレのスペクトルを求めることができる。
【００５９】
ここで、図１３（Ａ）及び（Ｂ）にそれぞれ示す合成配線パターン（配線パターン２４ａ）及びＢＭパターン３８の両者の２次元フーリエスペクトルの強度特性のそれぞれの周波数ピーク同士の差分は、両者の２次元フーリエスペクトルの強度特性を重ね合わせて得られる強度特性において、両者のそれぞれの周波数ピークの周波数座標上のピーク位置間の相対距離に相当する。
なお、合成配線パターン（配線パターン２４ａ）及びＢＭパターン３８の両者の２次元フーリエスペクトルのスペクトルピークは、図１３（Ａ）及び（Ｂ）にそれぞれ示すように、それぞれ複数存在するので、その相対距離の値である周波数ピーク同士の差分、即ちモアレの周波数も複数求められることになる。したがって、両２次元フーリエスペクトルのスペクトルピークが多数存在すると、求めるモアレの周波数も多数となり、求めるモアレの強度も多数となる。
【００６０】
ここで、合成パターンの２ＤＦＦＴスペクトルの合計値から、モアレ／ノイズのスペクトルのみの合計値を求めるには、ＢＭパターン３８の２ＤＦＦＴスペクトルのピーク（図１３（Ｂ）参照）及び合成配線パターン、特に規則的なメッシュパターンである配線パターン２４ａの２ＤＦＦＴスペクトルのピーク（図１３（Ａ）参照）を除去する必要がある。
まず、ＢＭパターン３８の２ＤＦＦＴスペクトルのピークの除去は、以下のようにして行うことができる。
ここで、表示装置においては、ディスプレイ解像度が決まっているため、ディスプレイが表示できる最高の空間周波数（基本周波数）はその解像度に対して決まる。このため、この最高の空間周波数より高い周波数を持つモアレは、このディスプレイで表示されないことになるので、本発明における評価の対象とする必要はない。従って、ディスプレイ解像度に合わせてモアレの最高周波数を規定することができる。
【００６１】
即ち、図１４に示すように、モアレを含むスペクトル和を算出する際、ＢＭパターン３８の空間周波数より低いスペクトルのみの和を求めることができることを示している。こうすることで、モアレを含むスペクトルの合計値には、ＢＭパターン３８のスペクトルピークは含まれなくなる。これは、ＢＭパターン３８の画素マスク効果により、モアレ視認性を定量化する際に必要なモアレの周波数を、画素サイズ以下に限定することができることを示している。
以上から、合成パターンの２ＤＦＦＴスペクトルの合計値から、ＢＭパターン３８の２ＤＦＦＴスペクトルのピークを除去したモアレを含むスペクトルの合計値（ＢＭパターンピーク除去合計値）を求めることができる。
なお、本発明において考慮すべきモアレの最高周波数は、ディスプレイのＢＭパターン３８の画素ピッチを、例えば、ｐ（μｍ）とする時、１０００／（２ｐ）とすることができる。こうして、本発明では、両２次元フーリエスペクトルのスペクトルピークから求められたモアレの周波数及び強度の中で、本発明における評価の対象とするモアレは、モアレの周波数が、ディスプレイ解像度に応じて規定されるモアレの最高周波数１０００／（２ｐ）以下の周波数を持つモアレとすることができる。
【００６２】
次に、合成パターンの２ＤＦＦＴスペクトルの合計値からの合成配線パターン（配線パターン２４ａ）の２ＤＦＦＴスペクトルのピークの除去は、以下のようにして行うことができる。
合成パターンの２ＤＦＦＴスペクトルの中に含まれる合成配線パターン（配線パターン２４ａ）のスペクトルのピークは、図１３（Ａ）に示す合成配線パターンのスペクトルと、図１３（Ｂ）中の（ａ）で示されるＢＭパターン３８のスペクトルの中心値（ｕｖ座標の原点の値（平均値））の畳み込み積分（コンボリューション）で表される。このため、合成配線パターンのスペクトルピークのスペクトル強度は、各々の合成配線パターンのスペクトルピークと、図１３（Ｂ）中の（ａ）で示されるＢＭパターン３８のスペクトルの中心値との積算合計値となる。なお、この合成配線パターンの積算合計値は、合成配線パターンの２ＤＦＦＴスペクトルの内の、ＢＭパターンの基本周波数以下の積算合計値となる。
したがって、この積算合計値を、図１２に示す合成パターンの各透過率を掛けた画像データの２ＤＦＦＴスペクトルの合計値から除算すれば良い。
したがって、上記のＢＭパターンピーク除去合計値から、この積算合計値を除算すれば、モアレ／ノイズのスペクトルのみの合計値を求めることができる。
なお、合成パターンの２ＤＦＦＴスペクトルの合計値からの、上述したＢＭパターン３８の２ＤＦＦＴスペクトルのピークの除去及び合成配線パターン（配線パターン２４ａ）の２ＤＦＦＴスペクトルのピークの除去は、いずれを先に行っても良い。
こうして求められたモアレ／ノイズのスペクトルのみの合計値の常用対数値を求め、モアレ／ノイズ抽出定量値（常用対数）を得ることができる。
【００６３】
次に、手順４として、モアレの定量値に基づいて配線パターンの評価を行う。
図１０に示すように、ステップＳ１６において、ステップＳ１４で得られたモアレ／ノイズ抽出定量値（常用対数）（モアレの定量値）が、所定範囲内にあれば、当該合成配線パターン、即ち配線パターン２４ａ及び２４ｂの組み合わせは、本発明の導電性フィルム１０の最適化された配線パターン２４ａ及び２４ｂの組み合わせであると評価し、最適化された配線パターン２４ａ及び２４ｂの組み合わせとして設定し、本発明の導電性フィルム１０であるとして評価する。
なお、モアレの定量値を、所定範囲内に限定する理由は、所定範囲から外れると、２種のバラツキの異なる配線パターンの内の一方のより規則性の高いメッシュパターンとＢＭパターンのとの干渉によって生じたモアレが、他方のより規則性の低いメッシュパターンによるノイズによるマスク効果によっても視認され、視認されたモアレが目視するユーザにとって気になるものとなったり、より規則性の低いメッシュパターンによるノイズが目立つようになり、目視するユーザにとって気になるものとなるからである。モアレの定量値が、所定範囲内では、観察距離が変わったりして、モアレが生じたとしても、ノイズによるマスク効果によりあまり気にならないからである。
【００６４】
ここで、所定範囲は、導電性フィルム及び表示装置の性状に応じて、具体的には、２つの導電層１６（１６ａ，１６ｂ）の配線パターン２４ａ及び２４ｂの金属細線１４の線幅や、開口部２２（２２ａ，２２ｂ）の形状やそのサイズ（ピッチ等）や角度等、及びＢＭパターン３８の形状やそのサイズ（ピッチ等）や配置角度等に応じて適宜設定されるものであるが、例えば、モアレの定量値をＥとする時、常用対数で、Ｅ＜−２．１５０（真数で１０−２．１５０）であるのが好ましく、より好ましくは、常用対数で、Ｅ＜−２．２０４２５（真数で１０−２．２０４２５）である。
なお、詳しくは後述するが、配線パターン２４ａ及び２４ｂの多数の組み合わせについて、シミュレーションサンプル及び実サンプルでモアレの評価指標を求め、３名の研究員が配線パターン２４ａ及び２４ｂとＢＭパターン３８との干渉によるモアレを目視による官能評価を行ったところ、モアレの定量値Ｅが、常用対数で、Ｅ＜−２．１５０であれば、規則性の高い配線パターン（２４ａ）とＢＭパターン（３８）のとの干渉によって生じたモアレが規則性の低い配線パターン（２４ｂ）によるノイズによってマスクされ、視認され難くなり、殆ど気にならないレベル以上であり、常用対数で、Ｅ＜−２．２０４２５であれば、ノイズによるマスク効果もあり、全く気にならないレベルであるからである。
したがって、本発明では、モアレの定量値Ｅを、常用対数で、好ましくは、Ｅ＜−２．１５０に、より好ましくは、Ｅ＜−２．２０４２５に特定している。
【００６５】
こうして、本発明の導電性フィルムの配線評価方法は終了し、表示装置の表示ユニットのＢＭパターンに重畳してもモアレの発生が抑止され、異なる解像度の表示装置に対しても、また、観察距離によらず、モアレの視認性に優れた、最適化された２種の規則性の異なる配線パターンを持つ本発明の導電性フィルムを作製することができる。
【００６６】
次に、本発明の第２の実施形態に係る導電性フィルムおよびタッチパネルついて説明する。なお、ここで、数値範囲を示す「〜」は、その前後に記載される数値を下限値及び上限値として含む意味として使用される。また、本発明の第２の実施形態においても、本発明の第１の実施形態の適用事項を適用可能であり、逆に、本発明の第１の実施形態においても、本発明の第２の実施形態の適用事項を適用可能なことは勿論である。
図１７は、本発明の第２の実施形態に係る導電性フィルムを具備する本発明のタッチパネル２００の要部分解斜視図である。このタッチパネル２００は、センサ本体２０２と、図示しない制御回路（ＩＣ回路等）とを有する。
【００６７】
センサ本体２０２は、第１シート体１１０Ａと第２シート体１１０Ｂとが下方からこの順序で積層されて構成された積層導電性フィルム（導電性フィルム）１１２と、第２シート体１１０Ｂ上に積層された保護層２０６とを有する。すなわち、センサ本体２０２においては、下方から、第１シート体１１０Ａ、第２シート体１１０Ｂ、保護層２０６が積層されている。
センサ本体２０２（積層導電性フィルム１１２及び保護層２０６）は、例えば、液晶ディスプレイ等の表示装置２０８における表示パネル２１０上に配置される。センサ本体２０２は、上面から視認したときに、表示パネル２１０の表示画面２１０ａに対応した領域に配されたタッチ位置のセンサ部２１２と、表示パネル２１０の外周部分に対応する領域に配された端子配線部２１４（いわゆる額縁）とを有する。
【００６８】
ここで、積層導電性フィルム１１２につき、要部を拡大した図１８及び図１９を参照して説明する。
第１シート体１１０Ａは、絶縁層である第１透明基体１１４Ａの一主面上に形成された第１の導電部（第１電極）１１６Ａとしての第１導電パターン１１８Ａを有する。第２シート体１１０Ｂも同様に、絶縁性の第２透明基体１１４Ｂの一主面上に形成された第２導電パターン１１８Ｂ（第２の導電部（第２電極）１１６Ｂ）を有する。
【００６９】
第１透明基体１１４Ａ及び第２透明基体１１４Ｂの厚みは２０〜３５０μｍ以下が好ましく、３０〜２５０μｍが一層好ましく、４０〜２００μｍが特に好ましい。
第１透明基体１１４Ａ及び第２透明基体１１４Ｂとしては、プラスチックフイルム、プラスチック板、ガラス板等を挙げることができる。
上記プラスチックフイルム及びプラスチック板の原料としては、例えば、ポリエチレンテレフタレート（ＰＥＴ）、ポリエチレンナフタレート（ＰＥＮ）等のポリエステル類；ポリエチレン（ＰＥ）、ポリプロピレン（ＰＰ）、ポリスチレン、ポリエチレンビニルアセテート（ＥＶＡ）等のポリオレフィン類；ビニル系樹脂；その他、ポリカーボネート（ＰＣ）、ポリアミド、ポリイミド、アクリル樹脂、トリアセチルセルロース（ＴＡＣ）、シクロオレフィンポリマー（ＣＯＰ）等を用いることができる。
【００７０】
第１透明基体１１４Ａ及び第２透明基体１１４Ｂとしては、ＰＥＴ（融点：２５８℃）、ＰＥＮ（融点：２６９℃）、ＰＥ（融点：１３５℃）、ＰＰ（融点：１６３℃）、ポリスチレン（融点：２３０℃）、ポリ塩化ビニル（融点：１８０℃）、ポリ塩化ビニリデン（融点：２１２℃）やＴＡＣ（融点：２９０℃）等の融点が約２９０℃以下であるプラスチックフイルム、又はプラスチック板が好ましく、特に光透過性や加工性等の観点から、ＰＥＴが好ましい。積層導電性フィルム１１２に使用される第１シート体１１０Ａ及び第２シート体１１０Ｂのような導電性フィルムは透明性が要求されるため、第１透明基体１１４Ａ及び第２透明基体１１４Ｂの透明度は高いことが好ましい。
【００７１】
本実施の形態の場合、第１導電パターン１１８Ａは、図１８に示すように、それぞれ第１方向（ｘ方向／長手方向）に延びる複数の帯状のパターンを有する。第１導電パターン１１８Ａは、第２方向（第１方向と直交する方向：ｙ方向）に向かう所定の幅方向寸法（電極幅Ｗ１）を有するとともに、複数個が該ｙ方向に沿って並列配置されている。
各第１導電パターン１１８Ａは、銀、銅、モリブデン、これらの中の１種以上を含む合金、又は導電性繊維等からなる細線１２０（線材）同士が交差することにより形成される。この交差に伴って、細線１２０によって囲繞される空間（開口部）、すなわち、セル１２２Ａが複数個形成される。
【００７２】
複数個のセル１２２Ａの形状は、図２０に示すように互いに異なり、且つ規則性（統一性）が低い。換言すれば、細線１２０によって形成される第１導電パターン１１８Ａのメッシュパターンはランダムである。例えば、セル１２２ａ、１２２ｆは、台形形状であり、セル１２２ｂ、セル１２２ｅは、八角形形状である。また、セル１２２ｄは、隅部が湾曲した長方形に対してセル１２２ｂ、１２２ｆが進入することで折曲された形状を呈している。ここで、第１導電パターン１１８Ａのランダムメッシュパターンは、２ＤＦＦＴスペクトルの標準偏差が、−５．０未満であるのが良い。
セル１２２Ａの別の一例を図２１に示す。この場合、ハッチングで示したセル１２２Ａは、頂点Ｃ１及び頂点Ｃ２を直線で結ぶ細線１２０ｐと、頂点Ｃ２及び頂点Ｃ３を直線で結ぶ細線１２０ｑと、頂点Ｃ３及び頂点Ｃ４を直線で結ぶ細線１２０ｒと、頂点Ｃ４及び頂点Ｃ１を直線で結ぶ細線１２０ｓとで形成され、多角形形状をなしている。その他のセル（セル１２２Ａ）も同様に、多角形形状を呈している。
【００７３】
図２０又は図２１に示したいずれの例においても、細線１２０の幅方向寸法（線幅）は、特に限定されるものではなく、例えば、１０μｍ以下に設定することができるが、５μｍ以下が好ましい。セル１２２Ａの形状がランダムであることと、細線１２０の線幅がこのように小さいこととが相俟って、モアレ及びノイズ粒状感が改善されて視認性が良好となる。線幅は、３μｍ以下とすることが一層好ましい。なお、タッチパネル２００の検出感度を確保するべく、細線１２０の線幅は１μｍ以上であることが好ましい。
以上から、ランダムパターンを形成するセルの線幅は、１〜５μｍであることが好ましい。これにより、ノイズ粒状感が低減されるとともに透過率が向上する。
【００７４】
さらに、隣接するセル１２２Ａ同士の間隔、すなわち、平均セルピッチ（隣接セルの重心間距離）は、１００〜５００μｍの範囲内であることが好ましい。ここで、ランダムパターンにおける平均セルピッチは、１個のセル１２２Ａを内包する最小の円の直径として求めることができる。
【００７５】
平均セルピッチをこのような範囲内に設定することにより、透過率を向上させることができる。なお、平均セルピッチは、１００〜３００μｍの範囲内であることが一層好ましい。これにより、更に透過率の向上に寄与する。図１８に示すように、各第１導電パターン１１８Ａの一方の端部は、第１結線部１４０ａを介して細線１２０による第１端子配線パターン１４２ａに電気的に接続されている。
【００７６】
一方、第２シート体１１０Ｂを構成する第２透明基体１１４Ｂ（図１９参照）の一主面上に形成された第２導電パターン１１８Ｂは、図１８に示すように、それぞれ第２方向（ｙ方向）に延びる複数の帯状のパターンを有する。これら複数の第２導電パターン１１８Ｂは、第１方向（ｘ方向）に沿って配列されている。すなわち、積層導電性フィルム１１２では、図１９に示すように、絶縁性の第１透明基体１１４Ｂを介して第１導電パターン１１８Ａと第２導電パターン１１８Ｂが対向する。
なお、第２導電パターン１１８Ｂのｘ方向に向かう幅方向寸法（電極幅Ｗ２）は、第１導電パターン１１８Ａの電極幅Ｗ１に比して小さく設定することが好ましいが、電極幅Ｗ１と電極幅Ｗ２を同等にするようにしてもよい。
【００７７】
各第２導電パターン１１８Ｂも第１導電パターン１１８Ａと同様に、細線１２０同士が交差することにより形成される。この交差に伴って、細線１２０によって囲繞される空間（開口部）、すなわち、セル１２２Ｂが形成される。
この場合、セル１２２Ｂは、図２２に示すように、４辺の長さが等しく、且つ２つの鈍角と２つの鋭角を有する菱形形状をなすことが好ましい。勿論、対角関係にある鈍角の交差角度αは、９０°超の同一角度であり、鋭角の交差角度βは、９０°未満の同一角度である。
鋭角である交差角度βは、７０°以下であることが好ましい。この場合、モアレを低減するのに有効である。ただし、βが過度に小さい場合にもモアレが発生し易くなる。これを回避するべく、βは、３０°〜７０°の範囲内、さらには４５°〜７０°の範囲内とすることが好ましい。
セル１２２Ｂは、図２２に例示した横長の菱形に限定されるものではなく、縦長の菱形であってもよいことは勿論である。
【００７８】
セル１２２Ｂにおいて、細線１２０の好ましい幅方向寸法（線幅）ＷＬは４μｍ以下であり、一層好ましくは２μｍ以下である。これにより細線１２０による導電パターンのモアレ及び銀細線見えが改善され、視認性が良好となる（すなわち、細線１２０を視認し難くなる）。なお、タッチパネル２００の検出感度を確保するべく、細線１２０の幅方向寸法ＷＬは１μｍ以上であることが好ましい。
以上から、定型パターンを形成するセルの線幅は、１〜５μｍであることが好ましい。これにより、モアレ及び電極の見えが改善され、視認性が良好となる。また、検出感度も確保される。
さらに、隣接するセル１２２Ｂ同士の間隔、すなわち、セルピッチ（隣接セルの重心間距離）は、３００μｍ以下であることが好ましい。この場合も、モアレ及び銀細線見えを低減するのに有効である。
ここで、第２導電パターン１１８Ｂの定型パターンは、２ＤＦＦＴスペクトルの標準偏差が、−５．０以上であるのが良い。
【００７９】
図１８に示すように、各第２導電パターン１１８Ｂの一方の端部は、第２結線部１４０ｂを介して細線１２０による第２端子配線パターン１４２ｂに電気的に接続されている。
タッチパネル２００に適用した第１シート体１１０Ａは、図１８に示すように、センサ部２１２に対応した部分に、上述した多数の第１導電パターン１１８Ａが配列され、端子配線部２１４には各第１結線部１４０ａから導出された細線１２０による複数の第１端子配線パターン１４２ａが配列されている。
【００８０】
図１７の例では、端子配線部２１４のうち、第１シート体１１０Ａの一方の長辺側の周縁部には、その長さ方向中央部分に、複数の第１端子２１６ａが前記一方の長辺の長さ方向に配列形成されている。また、センサ部２１２の一方の短辺（第１シート体１１０Ａの一方の短辺に最も近い短辺：ｙ方向）に沿って複数の第１結線部１４０ａ（例えば奇数番目の第２結線部１４０ａ）が直線状に配列され、センサ部２１２の他方の短辺（第１シート体１１０Ａの他方の短辺に最も近い短辺：ｙ方向）に沿って複数の第１結線部１４０ａ（例えば偶数番目の第２結線部１４０ａ）が直線状に配列されている。
【００８１】
複数の第１導電パターン１１８Ａのうち、例えば奇数番目の第１導電パターン１１８Ａが、それぞれ対応する奇数番目の第１結線部１４０ａに接続され、偶数番目の第１導電パターン１１８Ａが、それぞれ対応する偶数番目の第１結線部１４０ａに接続されている。奇数番目の第１結線部１４０ａから導出された第１端子配線パターン１４２ａ並びに偶数番目の第１結線部１４０ａから導出された第１端子配線パターン１４２ａは、第１シート体１１０Ａの一方の長辺における略中央部に向かって引き回され、それぞれ対応する第１端子２１６ａに電気的に接続されている。従って、例えば第１番目と第２番目の第１端子配線パターン１４２ａは、略同じ長さにて引き回され、以下同様に、第２ｎ−１番目と第２ｎ番目の第１端子配線パターン１４２ａは、それぞれ略同じ長さにて引き回されることになる。このように、第１シート体１１０Ａの一方の長辺の長さ方向中央部分に第１端子２１６ａを形成することで、上記と同様に局所的な信号伝達の遅延を抑制することができる。これは、応答速度の高速化につながる。
【００８２】
一方、第２シート体１１０Ｂの外形は、上面から見て長方形状を有し、センサ部２１２の外形も長方形状を有する。端子配線部２１４のうち、第２シート体１１０Ｂの一方の長辺側の周縁部には、その長さ方向中央部分に、複数の第２端子２１６ｂが前記一方の長辺の長さ方向に配列形成されている。また、センサ部２１２の一方の長辺（第２シート体１１０Ｂ一方の長辺に最も近い長辺：ｘ方向）に沿って複数の第２結線部１４０ｂが直線状に配列されている。各第２結線部１４０ｂから導出された第２端子配線パターン１４２ｂは、第２シート体１１０Ｂの一方の長辺における略中央部に向かって引き回され、それぞれ対応する第２端子２１６ｂに電気的に接続されている。
【００８３】
従って、センサ部２１２における一方の長辺の両側に対応する各第２結線部１４０ｂに接続された第２端子配線パターン１４２ｂは、略同じ長さにて引き回されることになる。これにより、局所的な信号伝達の遅延を抑制することができる。このことも、応答速度の高速化に寄与する。
なお、第１端子配線パターン１４２ａの導出形態を上述した第２端子配線パターン１４２ｂと同様にしてもよいし、逆に、第２端子配線パターン１４２ｂの導出形態を上述した第１端子配線パターン１４２ａと同様にしてもよい。
積層導電性フィルム１１２は、図１９に示すように、第１シート体１１０Ａに第２シート体１１０Ｂが積層されて構成される。この際、第１シート体１１０Ａの上端面（即ち、第１導電パターン１１８Ａ及び第１透明基体１１４Ａ上）と、第２シート体１１０Ｂの下端面との間には、粘着シートとして貼付された粘着剤（ＯＣＡとも指称される）１３０が配置される。このようにして形成された積層導電性フィルム１１２において、第１導電パターン１１８Ａと第２導電パターン１１８Ｂが重なった箇所（重なり部分）の一例を、平面図として図２３に示す。
【００８４】
この積層導電性フィルム１１２をタッチパネル２００として使用する場合は、第２シート体１１０Ｂ上に保護層２０６を形成する。なお、第２シート体１１０Ｂの上端面と保護層２０６の下端面との間にも、粘着シートとしての粘着剤（ＯＣＡ）１３０が配置される。そして、第１シート体１１０Ａの多数の第１導電パターン１１８Ａから導出された第１端子配線パターン１４２ａと、第２シート体１１０Ｂの多数の第２導電パターン１１８Ｂから導出された第２端子配線パターン１４２ｂとを、例えば、スキャンをコントロールする制御回路に接続する。
【００８５】
タッチ位置の検出方式としては、自己容量方式や相互容量方式を好ましく採用することができる。すなわち、自己容量方式であれば、第１導電パターン１１８Ａに対して順番にタッチ位置検出のための電圧信号を供給し、第２導電パターン１１８Ｂに対して順番にタッチ位置検出のための電圧信号を供給する。指先が保護層２０６の上面に接触又は近接させることで、タッチ位置に対向する第１導電パターン１１８Ａ及び第２導電パターン１１８ＢとＧＮＤ（グランド）間の容量が増加することから、当該第１導電パターン１１８Ａ及び第２導電パターン１１８Ｂからの伝達信号の波形が他の導電パターンからの伝達信号の波形と異なった波形となる。従って、制御回路では、第１導電パターン１１８Ａ及び第２導電パターン１１８Ｂから供給された伝達信号に基づいてタッチ位置を演算する。
【００８６】
一方、相互容量方式の場合は、例えば第１導電パターン１１８Ａに対して順番にタッチ位置検出のための電圧信号を供給し、第２導電パターン１１８Ｂに対して順番にセンシング（伝達信号の検出）を行う。指先が保護層２０６の上面に接触又は近接させることで、タッチ位置に対向する第１導電パターン１１８Ａと第２導電パターン１１８Ｂ間の寄生容量に対して並列に指の浮遊容量が加わることから、当該第２導電パターン１１８Ｂからの伝達信号の波形が他の第２導電パターン１１８Ｂからの伝達信号の波形と異なった波形となる。従って、制御回路では、電圧信号を供給している第１導電パターン１１８Ａの順番と、供給された第２導電パターン１１８Ｂからの伝達信号に基づいてタッチ位置を演算する。
【００８７】
このような自己容量方式又は相互容量方式のタッチ位置の検出方法を採用することで、保護層２０６の上面に同時に２つの指先を接触又は近接させても、各タッチ位置を検出することが可能となる。なお、投影型静電容量方式の検出回路に関する先行技術文献として、米国特許第４，５８２，９５５号明細書、米国特許第４，６８６，３３２号明細書、米国特許第４，７３３，２２２号明細書、米国特許第５，３７４，７８７号明細書、米国特許第５，５４３，５８８号明細書、米国特許第７，０３０，８６０号明細書、米国特許出願公開第２００４／０１５５８７１号明細書等がある。
【００８８】
第１導電パターン１１８Ａ及び第２導電パターン１１８Ｂは、線幅の狭いパターンを得るために、好適にはマイクロコンタクト印刷パターニング法又は銀塩法によって形成することができる。大量のランダムパターンを繰り返し得るためには、消耗するスタンプを用いない銀塩法がより好ましい。
マイクロコンタクト印刷パターニング法とは、マイクロコンタクト印刷法を利用して線幅が狭いパターンを得る方法である。ここで、マイクロコンタクト印刷法は、弾力性のあるポリジメチルシロキサンのスタンプを用い、チオール溶液をインキとして金基材に接触させて単分子膜のパターンを作製する方法である（Ｗｈｉｔｅｓｅｄｅｓ著、Ａｎｇｅｗ．Ｃｈｅｍ．Ｉｎｔ．Ｅｄ．，１９９８年第３７巻第５５０頁参照）。
【００８９】
マイクロコンタクト印刷パターニング法の代表的なプロセスは、例えば、以下の通りである。すなわち、先ず、基材に金属がコーティングされる（例えば、銀が、ＰＥＴ基材にスパッタコーティングされる）。
次に、単分子膜のマスキングが、金属がコーティングされた基材にマイクロコンタクト印刷法を用いてスタンピングされる。その後、マスキング下のパターンを除いて、基材にコーティングされた金属がエッチングにより除去される。
以上につき、その具体的な作業等は、特表２０１２−５１９３２９号公報の段落［０１０４］に詳述されている。
【００９０】
一方、銀塩法は、感光性銀塩含有層を有する感光材料を露光・現像することにより、メッシュ状をなす細線１２０のパターンを得るものである。その具体的な作業等は、特開２００９−４３４８号公報の段落［０１６３］〜［０２４１］に詳述されている。
このようにして得られるタッチパネル２００の特性を、第１導電パターン及び第２導電パターンの双方が定型パターン（菱形形状）であるタッチパネルＡ、第１導電パターン及び第２導電パターンの双方がランダムパターンであるタッチパネルＢの特性とともに一括して表１に示す。この表１から分かるように、タッチパネル２００は、タッチパネルＡに比してモアレが低減し且つ視認性に優れるとともに、タッチパネルＢに比してモアレ及びノイズ粒状感が低減し且つ透過率が良好である。
【００９１】
すなわち、第１導電パターン１１８Ａをランダムパターンとする一方で第２導電パターン１１８Ｂを定型パターンとすることにより、諸特性が良好なタッチパネル２００を得ることができる。
また、本発明を用いて、両主面にそれぞれ配置される第１及び第２の導電部（電極）を持つ導電性フィルムの導電部を設計する際に、特に、第１及び第２の導電部に配置される配線パターンを、ランダムパターン及び定型パターンとの混合パターンのように、規則性のバラツキの異なるメッシュパターンからなる混合メッシュパターンとすることができるので、配線パターンの設計を容易にすることができる。
【００９２】
【表１】
2015030090.tif 000003
【００９３】
本発明は、上記した実施の形態に特に限定されるものではなく、本発明の主旨を逸脱しない範囲で種々の変更が可能である。
例えば、この実施の形態では、下方の第１導電パターン１１８Ａをランダムパターン、上方の第２導電パターン１１８Ｂを定型パターンとするようにしているが、その逆に、下方の第１導電パターン１１８Ａを定型パターン、上方の第２導電パターン１１８Ｂをランダムパターンとするようにしてもよい。
【００９４】
さらに、積層導電性フィルム１１２は、第１透明基体１１４Ａの一主面に第１導電パターン１１８Ａを形成し、第２透明基体１１４Ｂの一主面に第２導電パターン１１８Ｂを形成して積層するもの（図１８及び図１９参照）に限定されるものではない。すなわち、図２４に示すように、第１透明基体１１４Ａの一主面に第１導電パターン１１８Ａが形成され、且つ該第１透明基体１１４Ａの他主面に第２導電パターン１１８Ｂが形成されたものであってもよい。この場合、第２透明基体１１４Ｂが存在せず、第１導電パターン１１８Ａ上に第１透明基体１１４Ａが積層され、第１透明基体１１４Ａ上に第２導電パターン１１８Ｂが積層された形態となる。
【００９５】
さらにまた、第１導電パターン１１８Ａと第２導電パターン１１８Ｂは、第１透明基体１１４Ａの同一主面上に形成されてもよい。この場合、第１導電パターン１１８Ａと第２導電パターン１１８Ｂとは、スペースやダミーパターン等の絶縁部を介して互いに絶縁された形態となる。
そして、セル１２２Ｂ（又はセル１２２Ａ）は菱形形状に限定されるものではなく、例えば、平行四辺形（菱形を除く）、多角形、円弧を含む形状であってもよい。
いずれの場合においても、積層導電性フィルム１１２の用途は、タッチパネル２００のセンサ本体２０２に特に限定されるものではなく、無機ＥＬ素子、有機ＥＬ素子、あるいは太陽電池等の各種電極に用いることも可能である。さらに、電極以外にも、電流を流すことで発熱する透明発熱体（例えば、車両のデフロスタ）、電磁波を遮断する電磁波シールド材にも適用可能である。
【実施例】
【００９６】
以下に、本発明を実施例に基づいて具体的に説明する。
なお、以下の実施例に示される材料、使用量、割合、処理内容、処理手順等は、本発明の主旨を逸脱しない限り適宜変更することができる。すなわち、本発明の範囲は以下に示す具体例に限定的に解釈されるべきものではない。【００９７】
（第１実施例）
図１１（Ａ）に示すＢＭパターン３８に対して、図１６（Ａ）に示す不規則パターンを配線パターン２４ｂ及び図１６（Ｃ）に示す規則的なパターンを配線パターン２４ａとの組み合わせとする合成配線パターンを持つ本発明の第１の実施形態の導電性フィルム１０について、配線パターン２４ａ及び２４ｂの組み合わせを、パターンの規則性の異なる種々の組み合わせに変えて、シミュレーションサンプル及び実サンプルで、配線パターン２４ａ及び２４ｂの組み合わせとＢＭパターン３８とを重畳し、モアレの定量値を求めると共に、３名の研究員が、重畳された両者の干渉によって生じるモアレを目視で官能評価した。【００９８】
ここで、官能評価結果は、○（１）、△（２）、×（３）の３段階で行い、全員が気にならないと評価した場合は、「気にならない」評価として○（１）と評価し、全員がほとんど気にならないと評価した場合又は少なくとも１名の研究員が気にならないと評価しかつ残りの研究員がほとんど気にならないと評価する場合は、「ほとんど気にならない」評価として△（２）と評価し、１名でもモアレが視認されて気になると評価する研究員がいる場合は、「気になる」評価として×（３）と評価した。【００９９】
本実施例において用いられるＢＭパターン３８は、図１１（Ａ）に示す矩形状パターンであり、その解像度は、１２７００ｄｐｉであり、画像サイズは９９４４（画素）×９９４４（画素）であり、Ｇフィルタの副画素３２ｇは、１１２ｄｐｉであり、その形状は、矩形（長方形）であり、そのサイズは、２８（画素）×７７（画素）であった。
配線パターン２４ａとして用いられる規則的なパターンは、表２に規則パラメータ２５、２７、３０及び４５として示されており、規則パラメータ２５は、図１６（Ｃ）に示されるように、ピッチ（ｐ）が２５２μｍであり、対角（θ）が２５°［ｄｅｇ］である定型の菱形パターンであった。
表２に規則パラメータ２５（０．０２８４）、２７（０．０１８６２２）、３０（０．０１４９２４）及び４５（０．００８４９３）として示されている規則的なパターンは、図１５にも示されているように、いずれもスペクトルの標準偏差が−５（−５．０００）以上であった。【０１００】
配線パターン２４ｂとして用いられる不規則パターンは、表２に不規則パラメータ４０（０．０１７０９３）、４２（０．０１５６７３）、４４（０．０１０７２）及び４６（０．００６５０３）として示されており、不規則パラメータ４０及び４４は、それぞれ図１６（Ａ）及び（Ｂ）に示されるランダムパターンであった。
表２に不規則パラメータ４０、４２、４４及び４６として示されている不規則パターンは、図１５にも示されているように、いずれもスペクトルの標準偏差が−５（−５．０００）未満であった。
また、配線パターン２４ａ及び２４ｂの金属細線１４の線幅は、４μｍであった。【０１０１】
表２においては、不規則パラメータ４０、４２、４４及び４６の不規則パターンのそれぞれに対して、規則パラメータ２５、２７、３０及び４５の規則パターンをそれぞれ組み合せて、合計１６の組み合わせに対して、ＢＭパターン３８に重畳した時のモアレの定量値を求め、また、目視による可能評価を行った。
その結果を表２に示す。【０１０２】
【表２】
2015030090.tif 000004
【０１０３】
上記の表２から、ＢＭパターンと、規則性の異なる２種の配線パターンとの組み合わせにおいて、モアレの定量値Ｅが、常用対数で、Ｅ＜−２．１５０の範囲内であれば、重畳された配線パターン（２４ａ）とＢＭパターン（３８）のとの干渉によって生じたモアレが視認されても、ノイズによるマスク効果で殆ど気にならないレベル（△（２））以上であり、常用対数でＥ＜−２．２０４２５の範囲内であれば、ノイズによるマスク効果もあり、全く気にならないレベル（○（１））であることが分かる。
以上から、上記のモアレ定量値が、上記範囲を満足する規則性の異なる２種の配線パターンを持つ本発明の導電性フィルムは、ディスプレイの解像度が異なっていても、観察距離によらず、モアレの発生を抑止でき、原理的に避けることのできないモアレであってもノイズによるマスク効果によりその視認性を改善でき、視認性を大幅に向上させることができる。
以上から、本発明の効果は明らかである。【０１０４】
なお、本発明では、上述した実施例のように、予め、種々のパターン形状の配線パターンの組み合わせを準備しておいて、本発明の評価方法によって最適化された配線パターンの組み合わせを持つ導電性フィルムを決定することができるが、配線パターンの１つの組み合わせのモアレの定量値が、所定範囲外である場合には、配線パターンの組み合わせの少なくとも一方の配線パターンの透過率画像データを新たな配線パターンの透過率画像データに更新して、上述した本発明の評価方法を適用してモアレの定量値を求めることを繰り返して、最適化された配線パターンの組み合わせを持つ導電性フィルムを決定することもできる。
ここで、更新される新たな配線パターンは、予め準備されたものであっても、新たに作成されたものであっても良い。なお、新たに作成され場合には、規則的な配線パターンであっても、不規則な配線パターンであっても、その透過率画像データの回転角度、ピッチ、パターン幅のいずれか１つ以上を変化させても良いし、配線パターンの開口部の形状やサイズを変更するようにしても良い。更には、不規則な配線パターン場合には、開口部の形状やサイズのみならず、開口部（セル）の繰り返しパターンにランダム性を持たせても良い。【０１０５】
（第２実施例）
（ハロゲン化銀感光材料）
水媒体中のＡｇ１５０ｇに対してゼラチン１０．０ｇを含む、球相当径平均０．１μｍの沃臭塩化銀粒子（Ｉ＝０．２モル％、Ｂｒ＝４０モル％）を含有する乳剤を調製した。
この乳剤中に対し、濃度が１０−７（モル／モル銀）になるようにＫ３Ｒｈ２Ｂｒ９及びＫ２ＩｒＣｌ６を添加し、臭化銀粒子にＲｈイオンとＩｒイオンをドープした。この乳剤にＮａ２ＰｄＣｌ４を添加し、さらに塩化金酸とチオ硫酸ナトリウムを用いて金硫黄増感を行った後、ゼラチン硬膜剤と共に、銀の塗布量が１０ｇ／ｍ２となるように基体（ここでは、ともにポリエチレンテレフタレート（ＰＥＴ））上に塗布した。この際、Ａｇ／ゼラチン体積比は２／１とした。
幅３０ｃｍのＰＥＴ支持体に２５ｃｍの幅で２０ｍ分塗布を行い、塗布の中央部２４ｃｍを残すように両端を３ｃｍずつ切り落としてロール状のハロゲン化銀感光材料を得た。
（露光）
露光のパターンについて、後述する電極パターン１〜４のパターンのフォトマスクを作製し、これを介して高圧水銀ランプを光源とした平行光を用いて露光した。【０１０６】
（現像処理）
・現像液１Ｌ処方
ハイドロキノン                        ２０ｇ
亜硫酸ナトリウム                      ５０ｇ
炭酸カリウム                          ４０ｇ
エチレンジアミン・四酢酸                ２ｇ
臭化カリウム                            ３ｇ
ポリエチレングリコール２０００          １ｇ
水酸化カリウム                          ４ｇ
ｐＨ                            １０．３に調整
・定着液１Ｌ処方
チオ硫酸アンモニウム液（７５％）    ３００ｍｌ
亜硫酸アンモニウム・１水塩            ２５ｇ
１，３−ジアミノプロパン・四酢酸        ８ｇ
酢酸                                    ５ｇ
アンモニア水（２７％）                  １ｇ
ｐＨ                              ６．２に調整【０１０７】
上記処理剤を用いて露光した感材に対し、富士フィルム社製の自動現像機ＦＧ−７１０ＰＴＳを用い、現像：３５℃で３０秒、定着：３４℃で２３秒、水洗：５Ｌ／分の流水中で２０秒という条件下で処理を施した。【０１０８】
なお、電極パターン１〜４は下記の通りである。
電極パターン１：各セルが、一辺の長さが０．４ｍｍ、角度が６０°、線幅が５．０μｍである菱形。
電極パターン２：各セルが、一辺の長さが０．４ｍｍ、角度が６０°、線幅が２．０μｍである菱形。
電極パターン１、２の場合、各セル（菱形）が重ならないように並んでいる。
電極パターン３：各セルが、形状がランダムな多角形からなり、個々の多角形を内包する最小の円の直径をＲとしたとき、Ｒが２００〜５００μｍの範囲内。線幅は５．０μｍ。
電極パターン４：各セルが、形状がランダムな多角形からなり、個々の多角形を内包する最小の円の直径をＲとしたとき、Ｒが２００〜５００μｍの範囲内。線幅は２．０μｍ。
これら４種の電極パターンを露光機にセットして、マスクと同一の線幅になるように露光を行い、電極パターン１から電極パターン４のいずれかからなる電極を有する導電シートを作製した。【０１０９】
これらの導電シートの中から２枚を選定し、図２５に示す評価用積層導電シート１５０を作製した。ここで、図２５中の参照符号１５２、１５４、１５６、１５８、１６０は、それぞれ、下方電極、ＯＣＡ、上方電極、ＯＣＡ、ガラスを表す。
下方電極１５２として電極パターン２（菱形）、上方電極１５６として電極パターン４（ランダム）を組み合わせた評価用積層導電シート１５０を実施例１とする。また、下方電極１５２を電極パターン４（ランダム）、上方電極１５６を電極パターン２（菱形）としたものを実施例２とし、下方電極１５２を電極パターン１（菱形）、上方電極１５６を電極パターン４（ランダム）としたものを実施例３とする。さらに、下方電極１５２を電極パターン２（菱形）、上方電極１５６を電極パターン３（ランダム）としたものを実施例４とする。【０１１０】
比較のため、下方電極１５２及び上方電極１５６の双方の電極パターンを菱形としたもの（比較例１）と、下方電極１５２及び上方電極１５６の双方の電極パターンをランダムとしたもの（比較例２）を作製した。すなわち、比較例１は、下方電極１５２及び上方電極１５６の双方が電極パターン２からなり、一方、比較例２は、下方電極１５２及び上方電極１５６の双方が電極パターン４からなる。【０１１１】
（評価）
以上の実施例１〜４及び比較例１、２を、ＡＵＯ製のＬＣＤパネル「Ｂ１５６ＸＷ０４」を白色点灯させた状態で該ＬＣＤパネル上に載置し、ＬＣＤパネルから３０ｃｍ〜５０ｃｍ離れた箇所で目視にて観察を行った。
その際、さざ波状など特定のパターンが観察される「モアレ」、ちらつきや粒状に感じられる「ノイズ」、電極パターンそのものの視認性について、気にならない程度ものを○、若干気になるが許容できるレベルを△、許容できないレベルを×として評価を行った。【０１１２】
さらに、村上色彩技術研究所から販売されている透過率測定器を用い、実施例１〜４及び比較例１、２について透過率を測定した。
さらにまた、実施例１〜４及び比較例１、２につき、電極パターン設計及び作業を行う上で作業時間が８時間以内である場合を○、８時間〜２０時間と比較的長時間を必要とするが、許容範囲内である場合を△、２０時間以上と非常に長時間を必要とするものを×として評価を行った。【０１１３】
以上の評価結果を、表３に併せて示す。この表３から、ランダムパターンの電極と菱形パターンの電極を組み合わせることにより、モアレが低減し且つノイズが少なく、さらに、電極パターンが視認し難い導電シートが効率よく得られることが明らかである。【０１１４】
【表３】
2015030090.tif 000005
【０１１５】
以上に、本発明に係る導電性フィルム、それを備える表示装置及び導電性フィルムの評価方法について種々の実施形態及び実施例を挙げて説明したが、本発明は、上述の実施形態及び実施例に限定されず、本発明の要旨を逸脱しないかぎり、種々の改良や設計の変更を行っても良いことはもちろんである。
【符号の説明】
【０１１６】
１０  導電性フィルム
１２  透明基体
１４  金属製の細線（金属細線）
１６、１６ａ、１６ｂ  導電部
１８、１８ａ、１８ｂ  接着層
２０、２０ａ、２０ｂ  保護層
２１、２１ａ、２１ｂ  メッシュ配線
２２、２２ａ、２２ｂ  開口部
２４、２４ａ、２４ｂ  配線パターン
２８、２８ａ、２８ｂ  導電層
３０  表示ユニット
３２  画素
３２ｒ、３２ｇ、３２ｂ  副画素
３４  ブラックマトリックス（ＢＭ）
３８  ＢＭパターン
４０  表示装置
４４  タッチパネル
１１０Ａ  第１シート体
１１０Ｂ  第２シート体
１１２  積層導電性フィルム（導電性フィルム）
１１４Ａ  第１透明基体
１１４Ｂ  第２透明基体
１１８Ａ  第１導電パターン
１１８Ｂ  第２導電パターン
１２０  細線
１２２Ａ、１２２Ｂ  セル
１３０、１５４、１５８  粘着剤（ＯＣＡ）
１５０  評価用積層導電シート
１５２  下方電極
１５６  上方電極
２００  タッチパネル
２０２  センサ本体
２０６  保護層
２０８  表示装置
２１０  表示パネル
２１４  端子配線部
【図１】
2015030090.tif 000006
【図２】
2015030090.tif 000007
【図３】
2015030090.tif 000008
【図４】
2015030090.tif 000009
【図５】
2015030090.tif 000010
【図６】
2015030090.tif 000011
【図７】
2015030090.tif 000012
【図８】
2015030090.tif 000013
【図９】
2015030090.tif 000014
【図１０】
2015030090.tif 000015
【図１１】
2015030090.tif 000016
【図１２】
2015030090.tif 000017
【図１３】
2015030090.tif 000018
【図１４】
2015030090.tif 000019
【図１５】
2015030090.tif 000020
【図１６】
2015030090.tif 000021
【図１７】
2015030090.tif 000022
【図１８】
2015030090.tif 000023
【図１９】
2015030090.tif 000024
【図２０】
2015030090.tif 000025
【図２１】
2015030090.tif 000026
【図２２】
2015030090.tif 000027
【図２３】
2015030090.tif 000028
【図２４】
2015030090.tif 000029
【図２５】
2015030090.tif 000030
【手続補正書】
【提出日】平成28年11月8日(2016.11.8)
【手続補正１】
【補正対象書類名】特許請求の範囲
【補正対象項目名】全文
【補正方法】変更
【補正の内容】
【特許請求の範囲】
【請求項１】
表示装置の表示ユニット上に設置される導電性フィルムであって、
透明基体と、
この透明基体の両面にそれぞれ形成される第１及び第２の導電部と、を有し、
前記第１及び第２の導電部は、それぞれ、複数の金属細線により複数の開口部を配列したメッシュ状に形成された第１及び第２の配線パターンを有し、
前記第１及び第２の配線パターンは、それぞれ、その透過率画像データの２次元フーリエ空間におけるスペクトルのばらつきが異なる第１及び第２のパターンを少なくとも有し、
前記第１及び第２の配線パターンは、合成配線パターンとして前記表示ユニットの画素配列パターンに重畳されており、
前記画素配列パターンと前記合成配線パターンとの合成パターンは、前記合成パターンの透過率画像データの２次元フーリエ空間における複数のスペクトルから、前記画素配列パターンの透過率画像データの２次元フーリエ空間における複数のスペクトル及び前記合成配線パターンの透過率画像データの２次元フーリエ空間における複数のスペクトルを除き、前記画素配列パターンと前記合成配線パターンの前記第１及び第２の配線パターンとの干渉によるモアレ及びノイズのみの複数のスペクトルを抽出して、抽出された全ての複数のスペクトルの合計値を求め、この合計値から算出したモアレ及びノイズの抽出定量値が所定範囲内であり、
前記モアレ及びノイズのスペクトルの合計値は、前記画素配列パターンの空間周波数より低い周波数を持つスペクトルのみを全て合計して求められたものであり、
前記定量値を常用対数値でＥとする時、前記所定範囲は、Ｅ＜−２．１５０であることを特徴とする導電性フィルム。
【請求項２】
前記定量値を常用対数値でＥとする時、前記所定範囲は、Ｅ＜−２．２０４２５である請求項１に記載の導電性フィルム。
【請求項３】
前記第１のパターンは、その透過率画像データの２次元フーリエ空間におけるスペクトルの標準偏差が−５．０以上であり、
前記第２のパターンは、その透過率画像データの２次元フーリエ空間におけるスペクトルの標準偏差が−５．０未満である請求項１または２に記載の導電性フィルム。
【請求項４】
前記第１のパターンは、規則的パターンであり、
前記第２のパターンは、不規則パターンである請求項１〜３のいずれか１項に記載の導電性フィルム。
【請求項５】
前記開口部は、金属細線同士が交差することで形成されるものであり、
前記規則的パターンは、複数個の同一形状の前記開口部が連なるようにメッシュ状に形成された定型パターンであり、
前記不規則パターンは、平面視で、形状が互いに異なる前記開口部を複数個含むようにメッシュ状に形成されたランダムパターンである請求項４に記載の導電性フィルム。
【請求項６】
前記第１の配線パターンを有する前記第１の導電部は、前記透明基体の上面に形成され、
前記第２の配線パターンを有する前記第２の導電部は、前記透明基体の下面に形成され、
前記第１の配線パターンは、前記第１のパターンからなり、
前記第２の配線パターンは、前記第２のパターンからなり、
前記第２の配線パターンの幅は、前記第１の配線パターンの幅より大きい請求項１〜５のいずれか１項に記載の導電性フィルム。
【請求項７】
前記モアレ及びノイズの周波数は、前記合成配線パターンのピーク周波数と前記画素配列パターンのピーク周波数との差分で与えられ、前記モアレ及びノイズの強度は、前記合成配線パターンのピーク強度と前記画素配列パターンのピーク強度との積で与えられる請求項１〜６のいずれか１項に記載の導電性フィルム。
【請求項８】
前記透過率画像データ及び前記スペクトルの強度は、前記合成パターンの透過率画像の面積で規格化されたものである請求項１〜７のいずれか１項に記載の導電性フィルム。
【請求項９】
前記画素配列パターンは、前記ブラックマトリックスパターンである請求項１〜８のいずれか１項に記載の導電性フィルム。
【請求項１０】
前記第２のパターンを形成する前記金属細線の線幅は、１〜５μｍである請求項１〜９のいずれか１項に記載の導電性フィルム。
【請求項１１】
前記第２のパターンを形成する前記開口部同士の平均ピッチは、１００〜５００μｍの範囲内である請求項１〜１０のいずれか１項に記載の導電性フィルム。
【請求項１２】
前記第１のパターンを形成する前記金属細線の線幅は、１〜５μｍである請求項１〜１１のいずれか１項に記載の導電性フィルム。
【請求項１３】
前記第１のパターンを形成する前記開口部は、菱形をなす請求項１〜１２のいずれか１項に記載の導電性フィルム。
【請求項１４】
前記第１のパターンを形成する前記金属細線、及び前記第２のパターンを形成する前記金属細線は、銀からなる請求項１〜１３のいずれか１項に記載の導電性フィルム。
【請求項１５】
請求項１〜１４のいずれか１項に記載の導電性フィルムを含むことを特徴とするタッチパネル。
【請求項１６】
表示ユニットと、
この表示ユニットの上に設置される、請求項１〜１４のいずれか１項に記載の導電性フィルムとを備えることを特徴とする表示装置。
【請求項１７】
表示装置の表示ユニット上に設置される導電性フィルムの評価方法であって、
前記導電性フィルムは、透明基体と、この透明基体の両面にそれぞれ形成される、複数の金属細線により複数の開口部を配列したメッシュ状に形成された第１及び第２の配線パターンを有し、
前記第１及び第２の配線パターンは、それぞれ、その透過率画像データの２次元フーリエ空間におけるスペクトルのばらつきが異なる第１及び第２のパターンを少なくとも有するものであり、
前記第１及び第２の配線パターンのそれぞれの透過率画像データと、前記第１及び第２の配線パターンが合成配線パターンとして重畳される、前記表示ユニットの画素配列パターンの透過率画像データとを取得し、
取得された前記画素配列パターン、並びに前記第１及び第２の配線パターンのそれぞれの透過率画像データから、前記画素配列パターンと前記合成配線パターンとの合成パターンの透過率画像データを求め、
求められた前記合成パターン、前記画素配列パターン、及び前記合成配線パターンのそれぞれの透過率画像データの２次元フーリエ変換を行い、前記合成パターンの透過率画像データの２次元フーリエ空間における複数のスペクトル、前記画素配列パターンの透過率画像データの２次元フーリエ空間における複数のスペクトル、及び前記合成配線パターンの透過率画像データの２次元フーリエ空間における複数のスペクトルを求め、
前記合成パターンの複数のスペクトルから、前記画素配列パターンの複数のスペクトル、及び前記合成配線パターンの複数のスペクトルを除いて、前記画素配列パターンと前記合成配線パターンの前記第１及び第２の配線パターンとの干渉によるモアレ及びノイズのみの複数のスペクトルの合計値を求め、
こうして得られた合計値からモアレ及びノイズの抽出定量値を算出し、
こうして算出された前記モアレ及びノイズの抽出定量値が所定範囲内である導電性フィルムを評価することを特徴とする導電性フィルムの評価方法。
【請求項１８】
表示装置の表示ユニット上に設置される導電性フィルムであって、
透明基体と、
この透明基体の両面にそれぞれ形成される第１及び第２の導電部と、を有し、
前記第１及び第２の導電部は、それぞれ、複数の金属細線により複数の開口部を配列したメッシュ状に形成された第１及び第２の配線パターンを有し、
前記第１及び第２の配線パターンは、それぞれ、その透過率画像データの２次元フーリエ空間におけるスペクトルのばらつきが異なる第１及び第２のパターンを少なくとも有し、
前記第１及び第２の配線パターンは、合成配線パターンとして前記表示ユニットの画素配列パターンに重畳されており、
前記第１のパターンは、その透過率画像データの２次元フーリエ空間におけるスペクトルの標準偏差が−５．０以上であり、
前記第２のパターンは、その透過率画像データの２次元フーリエ空間におけるスペクトルの標準偏差が−５．０未満であることを特徴とする導電性フィルム。
【手続補正２】
【補正対象書類名】明細書
【補正対象項目名】００１３
【補正方法】変更
【補正の内容】
【００１３】
上記技術的課題を達成するために、本発明の第１の態様に係る導電性フィルムは、表示装置の表示ユニット上に設置される導電性フィルムであって、透明基体と、この透明基体の両面にそれぞれ形成される第１及び第２の導電部と、を有し、第１及び第２の導電部は、それぞれ、複数の金属細線により複数の開口部を配列したメッシュ状に形成された第１及び第２の配線パターンを有し、第１及び第２の配線パターンは、それぞれ、その透過率画像データの２次元フーリエ空間におけるスペクトルのばらつきが異なる第１及び第２のパターンを少なくとも有し、第１及び第２の配線パターンは、合成配線パターンとして表示ユニットの画素配列パターンに重畳されており、画素配列パターンと合成配線パターンとの合成パターンは、合成パターンの透過率画像データの２次元フーリエ空間における複数のスペクトルから、画素配列パターンの透過率画像データの２次元フーリエ空間における複数のスペクトル及び合成配線パターンの透過率画像データの２次元フーリエ空間における複数のスペクトルを除き、画素配列パターンと合成配線パターンの第１及び第２の配線パターンとの干渉によるモアレ及びノイズのみの複数のスペクトルを抽出して、抽出された全ての複数のスペクトルの合計値を求め、この合計値から算出したモアレ及びノイズの抽出定量値が所定範囲内であり、モアレ及びノイズのスペクトルの合計値は、画素配列パターンの空間周波数より低い周波数を持つスペクトルのみを全て合計して求められたものであり、定量値を常用対数値でＥとする時、所定範囲は、Ｅ＜−２．１５０であことを特徴とする。
【手続補正３】
【補正対象書類名】明細書
【補正対象項目名】００１６
【補正方法】変更
【補正の内容】
【００１６】
上記第１の態様、第２の態様、第３の態様及び第４の態様において、モアレ及びノイズのスペクトルの合計値は、こうして先に求められた第１の合計値から、合成配線パターンの複数のスペクトルの全てを合計して求められた第２の合計値を引き算して求められることが好ましい。
また、定量値を常用対数値でＥとする時、所定範囲は、Ｅ＜−２．２０４２５であることが好ましい。
また、第１のパターンは、その透過率画像データの２次元フーリエ空間におけるスペクトルの標準偏差が−５．０以上であり、第２のパターンは、その透過率画像データの２次元フーリエ空間におけるスペクトルの標準偏差が−５．０未満であることが好ましい。
また、第１のパターンは、規則的パターンであり、第２のパターンは、不規則パターンであることが好ましい。
【国際調査報告】
2015030090.tif 000031
2015030090.tif 000032
2015030090.tif 000033
2015030090.tif 000034